(57)【要約】【課題】セグメント電極の駆動異常を検出できる液晶ドライバー等を提供すること。【解決手段】液晶ドライバー１００は、液晶パネルのセグメント電極を駆動するセグメント駆動信号ＳＧＱを出力するセグメント駆動回路１５０と、セグメント駆動信号ＳＧＱをセグメント電極へ出力する第１セグメント端子ＴＳＤ１と、セグメント電極からのモニター信号であるセグメントモニター信号ＳＭＮが入力される第２セグメント端子ＴＳＤ２と、セグメントモニター信号ＳＭＮに基づいて、セグメント電極の駆動異常を検出するセグメント異常検出回路１６０と、を含む。【選択図】      図４
2020106633.tif 000002
【特許請求の範囲】
【請求項１】
液晶パネルのセグメント電極を駆動する第１セグメント駆動信号を出力するセグメント駆動回路と、
前記第１セグメント駆動信号を前記セグメント電極へ出力する第１セグメント端子と、
前記セグメント電極からのモニター信号であるセグメントモニター信号が入力される第２セグメント端子と、
前記セグメントモニター信号に基づいて、前記セグメント電極の駆動異常を検出するセグメント異常検出回路と、
を含むことを特徴とする液晶ドライバー。
【請求項２】
請求項１に記載の液晶ドライバーにおいて、
前記セグメント駆動回路は、
セグメント駆動データに基づいてセグメント信号を出力するセグメント信号出力回路と、
前記セグメント信号に基づいて前記第１セグメント駆動信号を出力する出力回路と、
を含み、
前記セグメント異常検出回路は、
前記セグメントモニター信号と前記セグメント信号とを比較することで前記駆動異常を検出することを特徴とする液晶ドライバー。
【請求項３】
請求項２に記載の液晶ドライバーにおいて、
前記セグメント異常検出回路は、
前記セグメントモニター信号と前記セグメント信号との排他的論理和を求める排他的論理和回路を含み、
前記排他的論理和回路の出力信号を、前記セグメントモニター信号と前記セグメント信号との比較結果として出力することを特徴とする液晶ドライバー。
【請求項４】
請求項３に記載の液晶ドライバーにおいて、
前記出力回路は、
前記セグメント信号のレベルシフトを行う第１レベルシフターを含み、前記第１レベルシフターの出力信号に基づいて前記第１セグメント駆動信号を出力し、
前記セグメント異常検出回路は、
前記セグメントモニター信号をレベルシフトし、レベルシフト後の前記セグメントモニター信号を前記排他的論理和回路へ出力する第２レベルシフターを含むことを特徴とする液晶ドライバー。
【請求項５】
請求項２乃至４のいずれか一項に記載の液晶ドライバーにおいて、
前記セグメント信号出力回路は、
前記セグメント駆動データを極性反転処理する極性反転回路と、
前記極性反転回路の出力信号をラッチパルスによりラッチすることで前記セグメント信号を出力するラッチ回路と、
を含むことを特徴とする液晶ドライバー。
【請求項６】
請求項１に記載の液晶ドライバーにおいて、
前記セグメント異常検出回路は、
前記セグメントモニター信号と前記第１セグメント駆動信号とを比較することで前記駆動異常を検出することを特徴とする液晶ドライバー。
【請求項７】
請求項６に記載の液晶ドライバーにおいて、
前記セグメント駆動回路は、
セグメント駆動データに基づいてセグメント信号を出力するセグメント信号出力回路と、
前記セグメント信号に基づいて前記第１セグメント駆動信号を出力する出力回路と、
を含み、
前記セグメント異常検出回路は、
前記セグメントモニター信号と前記セグメント信号と前記第１セグメント駆動信号とを比較することで前記駆動異常を検出することを特徴とする液晶ドライバー。
【請求項８】
請求項７に記載の液晶ドライバーにおいて、
前記セグメント異常検出回路は、
前記セグメントモニター信号と前記セグメント信号と前記第１セグメント駆動信号との排他的論理和を求める排他的論理和回路を含み、
前記排他的論理和回路の出力信号を、前記セグメントモニター信号と前記セグメント信号と前記第１セグメント駆動信号との比較結果として出力することを特徴とする液晶ドライバー。
【請求項９】
請求項８に記載の液晶ドライバーにおいて、
前記出力回路は、
前記セグメント信号のレベルシフトを行う第１レベルシフターを含み、前記第１レベルシフターの出力信号に基づいて前記第１セグメント駆動信号を出力し、
前記セグメント異常検出回路は、
前記セグメントモニター信号をレベルシフトし、レベルシフト後の前記セグメントモニター信号を前記排他的論理和回路へ出力する第２レベルシフターと、
前記第１セグメント駆動信号をレベルシフトし、レベルシフト後の前記第１セグメント駆動信号を前記排他的論理和回路へ出力する第３レベルシフターと、
を含むことを特徴とする液晶ドライバー。
【請求項１０】
請求項１乃至９のいずれか一項に記載の液晶ドライバーにおいて、
前記液晶パネルのコモン電極を駆動するコモン駆動信号を出力するコモン駆動回路と、
前記コモン駆動信号を前記コモン電極へ出力する第１コモン端子と、
前記コモン電極からのモニター信号であるコモンモニター信号が入力される第２コモン端子と、
前記コモンモニター信号に基づいて、前記コモン電極の駆動異常を検出するコモン異常検出回路と、
を含むことを特徴とする液晶ドライバー。
【請求項１１】
請求項１乃至１０のいずれか一項に記載の液晶ドライバーにおいて、
前記セグメント駆動回路は、
前記セグメント電極の前記駆動異常が検出されたとき、前記第１セグメント駆動信号、又は前記第１セグメント駆動信号とは別に前記セグメント電極を駆動する第２セグメント駆動信号を、前記第２セグメント端子に出力することを特徴とする液晶ドライバー。
【請求項１２】
請求項１１に記載の液晶ドライバーにおいて、
前記セグメント駆動回路は、スイッチ回路を含み、
前記スイッチ回路は、
前記セグメント電極の前記駆動異常が検出されていないとき、前記第２セグメント端子に入力される前記セグメントモニター信号を、前記セグメント異常検出回路に出力し、
前記セグメント電極の前記駆動異常が検出されたとき、前記第１セグメント駆動信号、又は前記第１セグメント駆動信号とは別に前記セグメント電極を駆動する前記第２セグメント駆動信号を、前記第２セグメント端子に出力することを特徴とする液晶ドライバー。
【請求項１３】
請求項１乃至１２のいずれか一項に記載の液晶ドライバーにおいて、
前記第１セグメント端子と前記第２セグメント端子は、前記液晶ドライバーの長手方向に沿って、隣り合って配置されることを特徴とする液晶ドライバー。
【請求項１４】
請求項１乃至１２のいずれか一項に記載の液晶ドライバーにおいて、
前記第１セグメント端子と前記第２セグメント端子は、前記液晶ドライバーの長手方向に交差する方向に沿って、隣り合って配置されることを特徴とする液晶ドライバー。
【請求項１５】
請求項１乃至１４のいずれか一項に記載の液晶ドライバーにおいて、
前記駆動異常の検出履歴を記憶する不揮発性メモリーを含むことを特徴とする液晶ドライバー。
【請求項１６】
液晶パネルのセグメント電極を駆動するセグメント駆動信号を出力するセグメント駆動回路と、
前記セグメント駆動信号を前記セグメント電極へ出力するセグメント端子と、
前記セグメント電極の駆動異常を検出するセグメント異常検出回路と、
を含み、
前記セグメント駆動回路は、
セグメント駆動データに基づいてセグメント信号を出力するセグメント信号出力回路と、
前記セグメント信号に基づいて前記セグメント駆動信号を出力する駆動回路と、
を含み、
前記セグメント異常検出回路は、
前記セグメント信号と前記セグメント駆動信号とを比較することで前記駆動異常を検出することを特徴とする液晶ドライバー。
【請求項１７】
請求項１６に記載の液晶ドライバーにおいて、
前記液晶パネルのコモン電極を駆動するコモン駆動信号を出力するコモン駆動回路と、
前記コモン駆動信号を前記コモン電極へ出力するコモン端子と、
前記コモン電極の駆動異常を検出するコモン異常検出回路と、
を含み、
前記コモン駆動回路は、
コモン駆動データに基づいてコモン信号を出力するコモン信号出力回路と、
前記コモン信号に基づいて前記コモン駆動信号を出力する出力回路と、
を含み、
前記コモン異常検出回路は、
前記コモン信号と前記コモン駆動信号とを比較することで前記駆動異常を検出することを特徴とする液晶ドライバー。
【請求項１８】
請求項１乃至１７のいずれか一項に記載の液晶ドライバーを含むことを特徴とする電子機器。
【請求項１９】
請求項１乃至１７のいずれか一項に記載の液晶ドライバーを含むことを特徴とする移動体。
【発明の詳細な説明】
【技術分野】
【０００１】
本発明は、液晶ドライバー、電子機器及び移動体等に関する。
【背景技術】
【０００２】
表示内容の形状に合わせた任意形状の液晶セルが液晶パネルに設けられるセグメント方式の液晶装置が知られている。液晶セルは、液晶と、液晶に電圧を印加するためのセグメント電極及びコモン電極と、を含む。液晶装置は、液晶パネルを駆動する液晶ドライバーを含み、液晶ドライバーは、セグメント電極及びコモン電極を駆動することで液晶の光の透過率を制御する。液晶ドライバーが液晶の光の透過率を制御することで、液晶パネルに表示内容が表示される。なお、液晶装置は表示装置に限らず、光の透過と遮断を制御するための液晶シャッター等にも用いられる。
【０００３】
セグメント方式の液晶装置の従来技術は例えば特許文献１に開示されている。特許文献１では、１つのセグメント電極と液晶ドライバーとが１本の信号線で接続されており、液晶ドライバーは、その信号線にセグメント駆動信号を出力することでセグメント電極を駆動する。
【先行技術文献】
【特許文献】
【０００４】
【特許文献１】特開昭５４−９６３９４号公報
【発明の概要】
【発明が解決しようとする課題】
【０００５】
上記のような液晶装置において、液晶ドライバーの出力に異常が発生した場合、セグメント電極又はコモン電極が正常に駆動されなくなる。表示を例にとると、セグメント電極又はコモン電極が正常に駆動されないことで、表示異常が発生することになる。上記の特許文献１では、１つのセグメント電極と液晶ドライバーとが１本の信号線で接続されている。このため、仮に液晶ドライバーの出力において異常検出を行ったとしても、液晶パネルの信号線に断線等の異常が発生した場合には異常を検出できないという課題がある。
【課題を解決するための手段】
【０００６】
本発明の一態様は、液晶パネルのセグメント電極を駆動する第１セグメント駆動信号を出力するセグメント駆動回路と、前記第１セグメント駆動信号を前記セグメント電極へ出力する第１セグメント端子と、前記セグメント電極からのモニター信号であるセグメントモニター信号が入力される第２セグメント端子と、前記セグメントモニター信号に基づいて、前記セグメント電極の駆動異常を検出するセグメント異常検出回路と、を含む液晶ドライバーに関係する。
【図面の簡単な説明】
【０００７】
【図１】液晶装置の第１構成例。
【図２】液晶装置の第１構成例。
【図３】液晶ドライバーの第１詳細構成例。
【図４】セグメント駆動回路及びセグメント異常検出回路の第１詳細構成例。
【図５】セグメント電極が正常に駆動されている場合の信号波形例。
【図６】セグメント信号線が電源にショートした場合の信号波形例。
【図７】セグメント信号線がグランドにショートした場合の信号波形例。
【図８】セグメント端子とセグメント電極の間がオープン状態になった場合の信号波形例。
【図９】セグメント異常検出回路の第２詳細構成例。
【図１０】コモン駆動回路及びコモン異常検出回路の第１詳細構成例。
【図１１】コモン電極が正常に駆動されている場合の信号波形例。
【図１２】コモン信号線のいずれかが電源にショートした場合の信号波形例。
【図１３】コモン信号線のいずれかがグランドにショートした場合の信号波形例。
【図１４】コモン端子とコモン電極の間がオープン状態になった場合の信号波形例。
【図１５】コモン異常検出回路の第２詳細構成例。
【図１６】セグメント駆動回路とセグメント異常検出回路の第３詳細構成例。
【図１７】セグメント駆動回路とセグメント異常検出回路の第３詳細構成例。
【図１８】第３詳細構成例の動作を説明する信号波形例。
【図１９】セグメント駆動回路とセグメント異常検出回路の第４詳細構成例。
【図２０】セグメント駆動回路とセグメント異常検出回路の第５詳細構成例。
【図２１】セグメント駆動回路とセグメント異常検出回路の第６詳細構成例。
【図２２】液晶装置の第２構成例。
【図２３】液晶装置の第３構成例。
【図２４】液晶ドライバーの第２詳細構成例。
【図２５】液晶パネルの詳細構成例。
【図２６】液晶装置を含むヘッドライトの構成例。
【図２７】ヘッドライトに適用される液晶パネルの例。
【図２８】ＰＷＭ駆動の信号波形例。
【図２９】電子機器の構成例。
【図３０】移動体の構成例。
【発明を実施するための形態】
【０００８】
以下、本開示の好適な実施の形態について詳細に説明する。なお以下に説明する本実施形態は特許請求の範囲に記載された本開示の内容を不当に限定するものではなく、本実施形態で説明される構成の全てが本開示の解決手段として必須であるとは限らない。
【０００９】
１．液晶装置
以下では液晶装置が液晶表示装置である場合を例に説明するが、液晶装置は液晶表示装置に限定されない。例えば、液晶装置は液晶シャッターであってもよい。液晶シャッターの構成例については後述する。
【００１０】
図１及び図２は、液晶装置３００の第１構成例である。液晶装置３００は、液晶パネル２００と、液晶パネル２００を駆動する液晶ドライバー１００と、を含む。図１には、セグメント電極及びその接続構成例を示し、図２には、コモン電極及びその接続構成例を示す。なお、液晶パネル２００は、セグメント電極が設けられるガラス基板と、コモン電極が設けられるガラス基板と、それらの間に設けられる液晶と、を含む。但し、図１では、これらの構成を省略して図示し、その詳細については後述する。
【００１１】
図１に示すように、液晶パネル２００は、セグメント電極ＥＳＤ１、ＥＳＤ２、ＥＳＳ１〜ＥＳＳ７と、セグメント信号線ＬＳＤ１〜ＬＳＤ４、ＬＳＳ１〜ＬＳＳ７と、を含む。液晶ドライバー１００は、セグメント端子ＴＳＤ１〜ＴＳＤ４、ＴＳＳ１〜ＴＳＳ７を含む。
【００１２】
セグメント電極及びセグメント信号線は、ガラス基板上に設けられた透明導電膜である。透明導電膜は、例えばＩＴＯ（Indium Tin Oxide）である。この透明導電膜のうち、コモン電極に対して液晶を挟んで向かい合う部分がセグメント電極であり、そのセグメント電極に対してセグメント駆動信号を供給する部分がセグメント信号線である。例えば、セグメント電極ＥＳＤ１とセグメント信号線ＬＳＤ１、ＬＳＤ２は一体の透明導電膜で形成されている。このうち、図２のコモン電極ＥＣＤ１に向かい合う部分がセグメント電極ＥＳＤ１である。
【００１３】
液晶ドライバー１００は、液晶パネル２００のガラス基板に実装されている。具体的には、液晶ドライバー１００は集積回路装置であり、その半導体基板上に形成されたパッドがセグメント端子ＴＳＤ１〜ＴＳＤ４、ＴＳＳ１〜ＴＳＳ７に相当する。そして、パッドが設けられた面が液晶パネル２００のガラス基板と向かい合うように、半導体基板が液晶パネル２００に実装される。このとき、セグメント端子ＴＳＤ１は、例えば金属バンプ等を介してセグメント信号線ＬＳＤ１に接続される。同様に、セグメント端子ＴＳＤ２〜ＴＳＤ４、ＴＳＳ１〜ＴＳＳ７は、セグメント信号線ＬＳＤ２〜ＬＳＤ４、ＬＳＳ１〜ＬＳＳ７に接続される。なお図１では、本来は、半導体基板の面のうちセグメント端子が設けられていない面が見える状態であるが、半導体基板に隠れているセグメント端子等についても図示している。
【００１４】
液晶ドライバー１００は、セグメント端子ＴＳＤ１からセグメント駆動信号を出力することで、セグメント信号線ＬＳＤ１を介してセグメント電極ＥＳＤ１を駆動する。セグメント電極ＥＳＤ１は所定のアイコン形状を有しており、液晶ドライバー１００がセグメント電極ＥＳＤ１を駆動することでアイコンが表示又は非表示に制御される。そして、セグメント電極ＥＳＤ１からセグメント信号線ＬＳＤ２を介してセグメント端子ＴＳＤ２にセグメント駆動信号がフィードバックされる。このフィードバックされたセグメント駆動信号をセグメントモニター信号と呼ぶ。液晶ドライバー１００は、セグメント端子ＴＳＤ２に入力されたセグメントモニター信号に基づいて、セグメント電極ＥＳＤ１の駆動異常を検出する。セグメント電極の駆動異常は、セグメント電極に本来印加されるべきセグメント駆動信号が印加されないことである。例えば、後述するように、セグメント信号線の異常と、セグメント端子の接続不良と、セグメント駆動信号の異常等が含まれる。
【００１５】
同様に、液晶ドライバー１００は、セグメント端子ＴＳＤ３からセグメント駆動信号を出力することで、セグメント電極ＥＳＤ２を駆動する。そして、液晶ドライバー１００は、セグメント端子ＴＳＤ４に入力されたセグメントモニター信号に基づいて、セグメント電極ＥＳＤ２の駆動異常を検出する。
【００１６】
液晶ドライバー１００は、セグメント端子ＴＳＳ１〜ＴＳＳ７からセグメント駆動信号を出力することで、セグメント信号線ＬＳＳ１〜ＬＳＳ７を介してセグメント電極ＥＳＳ１〜ＥＳＳ７を駆動する。セグメント電極ＥＳＳ１〜ＥＳＳ７は数字を表示するための形状有している。液晶ドライバー１００がセグメント電極ＥＳＳ１〜ＥＳＳ７を駆動することで数字が表示又は非表示に制御され、或いは表示される数字の種類が変更される。セグメント電極ＥＳＳ１〜ＥＳＳ７については、本実施形態ではセグメントモニター信号のフィードバックは行われない。
【００１７】
Ａ１に示すように、液晶パネル２００のセグメント信号線ＬＳＤ１に異常が発生したとする。セグメント信号線の異常は、例えばセグメント信号線の断線又は短絡等である。或いは、セグメント端子ＴＳＤ１の接続不良が発生したとする。このとき、セグメント端子ＴＳＤ１から出力されたセグメント駆動信号が、セグメント電極ＥＳＤ１に印加されなくなる。本実施形態では、セグメントモニター信号がセグメント信号線ＬＳＤ２及びセグメント端子ＴＳＤ２を介して液晶ドライバー１００にフィードバックされるので、液晶ドライバー１００は、そのセグメントモニター信号に基づいて異常を検出できる。
【００１８】
またセグメント信号線ＬＳＤ１の異常に限らず、液晶ドライバー１００のセグメント端子ＴＳＤ１から出力されるセグメント駆動信号に異常が発生した場合についても、液晶ドライバー１００がセグメントモニター信号に基づいて検出できる。セグメント駆動信号の異常は、液晶ドライバー１００における回路の故障又は断線、短絡等によって、セグメント駆動信号の信号レベルが本来出力されるべき信号レベルになっていない状態である。
【００１９】
図１において、ＥＳＤ１を第１セグメント電極とし、ＥＳＳ１を第２セグメント電極とする。第１セグメント電極であるＥＳＤ１は、第１セグメント信号線であるＬＳＤ１及び第２セグメント信号線であるＬＳＤ２を介して液晶ドライバー１００に接続される。第２セグメント電極であるＥＳＳ１は、第３セグメント信号線であるＬＳＳ１を介して液晶ドライバー１００に接続される。より具体的には、第２セグメント電極は、第３セグメント信号線のみを介して液晶ドライバー１００に接続される。また第１セグメント信号線であるＬＳＤ１は、ドライバー１００の第１セグメント端子であるＴＳＤ１を介してドライバー１００と接続され、第２セグメント信号線であるＬＳＤ２は、第２セグメント端子であるＴＳＤ２を介してドライバー１００と接続される。
【００２０】
このようにすれば、セグメントモニター信号をフィードバックさせる電極と、セグメントモニター信号をフィードバックさせない電極とを液晶パネル２００に設けることができる。例えば以下のように、表示内容の重要度に応じて駆動異常検出を行うか否かを設定できる。
【００２１】
液晶装置３００として、例えば車載用のクラスターパネルを想定できる。クラスターパネルにはアイコンや数字、文字、メーター等を表示するためのセグメント電極が設けられる。
【００２２】
これらのセグメント電極のうち相対的に重要度が高いものに対して、セグメントモニター信号をフィードバックするためのセグメント信号線及びセグメント端子を設ける。図１の例では、アイコン表示用のセグメント電極ＥＳＤ１、ＥＳＤ２に対して、セグメントモニター信号をフィードバックするためのセグメント信号線及びセグメント端子が設けられている。
【００２３】
一方、相対的に重要度が低いセグメント電極に対して、セグメント駆動信号を供給するためのセグメント信号線及びセグメント端子のみを設ける。図１の例では、数字表示用のセグメント電極ＥＳＳ１〜ＥＳＳ７に対して、セグメント駆動信号を供給するためのセグメント信号線及びセグメント端子のみが設けられている。なお、液晶パネル２００が、文字表示用、又はメーター表示用のセグメント電極を含む場合には、そのセグメント電極に対して、セグメント駆動信号を供給するためのセグメント信号線及びセグメント端子のみが設けられてもよい。
【００２４】
このようにすれば、相対的に重要度が高いセグメント電極の駆動異常を検出できる。また、相対的に重要度が低いセグメント電極の駆動異常を検出しないことで、液晶ドライバー１００の回路規模を節約できる。
【００２５】
次にコモン電極について説明する。図２に示すように、液晶パネル２００は、コモン電極ＥＣＤ１、ＥＣＤ２、ＥＣＳ１〜ＥＣＳ７と、コモン信号線ＬＣＤ１〜ＬＣＤ６と、を含む。液晶ドライバー１００は、コモン端子ＴＣＤ１、ＴＣＤ２を含む。
【００２６】
コモン電極及びコモン信号線は、ガラス基板上に設けられた透明導電膜である。この透明導電膜のうち、セグメント電極に対して液晶を挟んで向かい合う部分がコモン電極であり、そのコモン電極に対してコモン駆動信号を供給する部分がコモン信号線である。
【００２７】
コモン端子ＴＣＤ１、ＴＣＤ２は、液晶ドライバー１００の半導体基板上に形成されたパッドである。コモン端子ＴＣＤ１は、例えば金属バンプ等を介してコモン信号線ＬＣＤ１に接続される。同様に、コモン端子ＴＣＤ２はコモン信号線ＬＣＤ６に接続される。
【００２８】
コモン電極ＥＣＳ１は、セグメント電極ＥＳＳ１に対して液晶を挟んで向かい合う。同様に、コモン電極ＥＣＳ２〜ＥＣＳ７、ＥＣＤ１、ＥＣＤ２は、セグメント電極ＥＳＳ２〜ＥＳＳ７、ＥＳＤ１、ＥＳＤ２に対して液晶を挟んで向かい合う。コモン電極ＥＣＳ１〜ＥＣＳ７、ＥＣＤ１、ＥＣＤ２は、コモン信号線ＬＣＤ１とコモン信号線ＬＣＤ６の間に直列に接続される。即ち、コモン電極ＥＣＳ２にコモン信号線ＬＣＤ１が接続され、コモン電極ＥＣＳ２、ＥＣＳ１、ＥＣＳ７、ＥＣＳ６が、この順に、コモン電極ＬＣＤ２により直列に接続される。またコモン電極ＥＣＳ６、ＥＣＳ５、ＥＣＳ４、ＥＣＳ３が、この順に、コモン電極ＬＣＤ３により直列に接続される。またコモン電極ＥＣＳ３とコモン電極ＥＣＤ１がコモン信号線ＬＣＤ４により接続され、コモン電極ＥＣＤ１とコモン電極ＥＣＤ２がコモン信号線ＬＣＤ５により接続され、コモン電極ＥＣＤ２にコモン信号線ＬＣＤ６が接続される。
【００２９】
液晶ドライバー１００は、コモン端子ＴＣＤ１からコモン駆動信号を出力することで、コモン信号線ＬＣＤ１〜ＬＣＤ５を介してコモン電極ＥＣＳ１〜ＥＣＳ７、ＥＣＤ１、ＥＣＤ２を駆動する。そして、コモン電極ＥＣＤ２からコモン信号線ＬＣＤ６を介してコモン端子ＴＣＤ２にコモン駆動信号がフィードバックされる。このフィードバックされたコモン駆動信号をコモンモニター信号と呼ぶ。液晶ドライバー１００は、コモン端子ＴＣＤ２に入力されたコモンモニター信号に基づいて、コモン電極ＥＣＳ１〜ＥＣＳ７、ＥＣＤ１、ＥＣＤ２の駆動異常を検出する。コモン電極の駆動異常は、コモン電極に本来印加されるべきコモン駆動信号が印加されないことである。例えば、後述するように、コモン信号線の異常と、コモン端子の接続不良と、コモン駆動信号の異常等が含まれる。
【００３０】
Ａ２に示すように、コモン信号線ＬＣＤ１に異常が発生したとする。コモン信号線の異常は、例えばコモン信号線の断線又は短絡等である。或いは、コモン端子ＴＣＤ１の接続不良が発生したとする。このとき、コモン端子ＴＣＤ１から出力されたコモン駆動信号が、コモン電極ＥＣＳ１〜ＥＣＳ７、ＥＣＤ１、ＥＣＤ２に印加されなくなる。本実施形態では、コモンモニター信号がコモン信号線ＬＣＤ６及びコモン端子ＴＣＤ２を介して液晶ドライバー１００にフィードバックされるので、液晶ドライバー１００は、そのコモンモニター信号に基づいて異常を検出できる。
【００３１】
またコモン信号線の異常に限らず、液晶ドライバー１００のコモン端子ＴＣＤ１から出力されるコモン駆動信号に異常が発生した場合についても、液晶ドライバー１００がコモンモニター信号に基づいて検出できる。コモン駆動信号の異常は、液晶ドライバー１００における回路の故障又は断線、短絡等によって、コモン駆動信号の信号レベルが本来出力されるべき信号レベルになっていない状態である。
【００３２】
２．液晶ドライバー
図３は、液晶ドライバー１００の第１詳細構成例である。液晶ドライバー１００は、インターフェース回路１１０と制御回路１２０とデータ記憶部１３０とラインラッチ１４０とセグメント駆動回路１５０とセグメント異常検出回路１６０とコモン駆動回路１７０とコモン異常検出回路１８０と発振回路１９０とを含む。
【００３３】
インターフェース回路１１０は、液晶ドライバー１００と処理装置４００の回路間の通信を行う。具体的には、インターフェース回路１１０は、処理装置４００からセグメント駆動データを受信する。各セグメント電極の表示を制御するためのデータである。例えばスタティック駆動の場合、セグメント駆動データは、セグメント電極の表示をオン又はオフにするデータである。或いはスタティック駆動においてＰＷＭ駆動を行う場合には、セグメント駆動データは、セグメント電極の表示階調を設定するためのデータである。処理装置４００は、液晶ドライバー１００のホスト装置であり、例えばプロセッサー又は表示コントローラー等である。プロセッサーはＣＰＵ又はマイクロコンピューター等である。インターフェース回路１１０の通信方式としては、例えばＩ２Ｃ（Inter Integrated Circuit）方式、又はＳＰＩ（Serial Peripheral Interface）方式等のシリアルインターフェース方式を採用できる。或いはインターフェース回路１１０の通信方式としてパラレルインターフェース方式を採用してもよい。インターフェース回路１１０は、これらの通信方式を実現する入出力バッファー回路及び制御回路を含むことができる。
【００３４】
制御回路１２０は、ロジック回路であり、発振回路１９０から入力されるクロック信号に基づいて動作する。制御回路１２０は、液晶ドライバー１００が液晶パネル２００を駆動する際の駆動タイミングを制御する。具体的には、インターフェース回路１１０により受信されたセグメント駆動データをデータ記憶部１３０に記憶させる。また制御回路１２０は、各フレームにおいて、そのフレームに対応したセグメント駆動信号をセグメント駆動回路１５０から出力させる制御を行う。また制御回路１２０は、フレーム毎に駆動極性を反転させる制御を行う。
【００３５】
データ記憶部１３０は、セグメント駆動データを記憶する。データ記憶部１３０は、いわゆる表示データＲＡＭである。或いは、データ記憶部１３０はレジスターであってもよい。
【００３６】
ラインラッチ１４０は、データ記憶部１３０から読み出された１フレーム分のセグメント駆動データをラッチする。ラインラッチ１４０は例えばフリップフロップ回路により構成される。
【００３７】
セグメント駆動回路１５０は、ラインラッチ１４０にラッチされたセグメント駆動データに基づいて、液晶パネル２００のセグメント電極を駆動する。即ち、セグメント駆動回路１５０は、セグメント駆動データに対応したセグメント駆動信号をセグメント端子から出力することで、セグメント電極を駆動する。セグメント駆動信号はローレベル又はハイレベルの信号である。ＰＷＭ駆動の場合、１フレームにおいてセグメント駆動信号がハイレベルからローレベル、又はローレベルからハイレベルに変化する。この変化タイミングは階調に応じて決まる。
【００３８】
セグメント異常検出回路１６０は、セグメント電極からフィードバックされるセグメントモニター信号に基づいて、セグメント電極の駆動異常を検出する。即ち、セグメント異常検出回路１６０は、セグメント駆動信号又はそれと同じ論理レベルの信号と、セグメントモニター信号とが一致するか否かを判定する。セグメント異常検出回路１６０は、不一致と判定した場合には駆動異常であると判定し、一致と判定場合には正常であると判定する。セグメント異常検出回路１６０は、検出結果を制御回路１２０へ出力する。制御回路１２０は、検出結果が駆動異常を示す場合、インターフェース回路１１０を介して処理装置４００へ駆動異常を通知する。
【００３９】
コモン駆動回路１７０は、液晶パネル２００のコモン電極を駆動する。即ち、コモン駆動回路１７０は、極性に応じたコモン駆動信号をコモン端子から出力することで、コモン電極を駆動する。コモン駆動信号は、正極性のときローレベルの信号であり、負極性のときハイレベルの信号である。
【００４０】
コモン異常検出回路１８０は、コモン電極からフィードバックされるコモンモニター信号に基づいて、コモン電極の駆動異常を検出する。即ち、コモン異常検出回路１８０は、コモン駆動信号又はそれと同じ論理レベルの信号と、コモンモニター信号とが一致するか否かを判定する。コモン異常検出回路１８０は、不一致と判定した場合には駆動異常であると判定し、一致と判定場合には正常であると判定する。コモン異常検出回路１８０は、検出結果を制御回路１２０へ出力する。制御回路１２０は、検出結果が駆動異常を示す場合、インターフェース回路１１０を介して処理装置４００へ駆動異常を通知する。
【００４１】
３．セグメント駆動回路、セグメント異常検出回路
図４は、セグメント駆動回路１５０及びセグメント異常検出回路１６０の第１詳細構成例である。なお以下では図１のセグメント端子ＴＳＤ１、ＴＳＤ２に接続されるセグメント駆動回路及びセグメント異常検出回路を例に説明するが、液晶ドライバー１００に含まれる他のセグメント端子にも同様にセグメント駆動回路及びセグメント異常検出回路が接続される。但し、ＥＳＳ１等、１つのセグメント電極に１つのセグメント端子が接続される場合には、セグメント異常検出回路は設けない。
【００４２】
セグメント駆動回路１５０は、液晶パネル２００のセグメント電極ＥＳＤ１を駆動するセグメント駆動信号ＳＧＱを出力する。第１セグメント端子であるセグメント端子ＴＳＤ１は、セグメント駆動信号ＳＧＱをセグメント電極ＥＳＤ１へ出力する。第２セグメント端子であるセグメント端子ＴＳＤ２には、セグメント電極ＥＳＤ１からのモニター信号であるセグメントモニター信号ＳＭＮが入力される。セグメント異常検出回路１６０は、セグメントモニター信号ＳＭＮに基づいて、セグメント電極ＥＳＤ１の駆動異常を検出する。
【００４３】
このようにすれば、セグメント電極ＥＳＤ１に接続されるセグメント信号線ＬＳＤ１に異常が発生した場合、或いはセグメント駆動回路１５０が出力するセグメント駆動信号ＳＧＱに異常が発生した場合であっても、セグメント異常検出回路１６０がセグメントモニター信号ＳＭＮに基づいて異常を検出できる。
【００４４】
また、セグメント電極ＥＳＤ１からフィードバックされるセグメントモニター信号ＳＭＮを用いて駆動異常を検出することで、通常の表示動作中においてリアルタイムに駆動異常を検出できる。例えばセグメントモニター信号ＳＭＮを用いない手法として、セグメント駆動信号ＳＧＱのトグルを検出する手法が考えられる。しかし、通常の表示動作においてセグメント駆動信号ＳＧＱは任意の波形であるため、例えばローレベルのセグメント駆動信号ＳＧＱが続く場合などには駆動異常を検出できない。このため、セグメント駆動信号ＳＧＱがトグルする特別な波形を入力する必要があり、通常の表示動作において駆動異常を検出することが難しい。本実施形態では、セグメント電極ＥＳＤ１が正常に駆動されている場合にはセグメントモニター信号ＳＭＮがセグメント駆動信号ＳＧＱと同じ信号となるので、それを検出することによって、通常の表示動作中において駆動異常を判定できる。
【００４５】
セグメント駆動回路１５０は、セグメント駆動データＩＳＧＤＴに基づいてセグメント信号ＳＬＡＴを出力するセグメント信号出力回路１５１と、セグメント信号ＳＬＡＴに基づいてセグメント駆動信号ＳＧＱを出力する出力回路１５５と、を含む。
【００４６】
具体的には、セグメント信号出力回路１５１は、極性反転回路１５２とラッチ回路１５３とを含む。セグメント電極ＥＳＤ１に対応した液晶セルに電圧を印加するときセグメント駆動データＩＳＧＤＴはハイレベルであり、液晶セルに電圧を印加しないときセグメント駆動データＩＳＧＤＴはローレベルである。極性反転回路１５２は、制御回路１２０から入力される極性信号ＰＯＬに基づいて、セグメント駆動データＩＳＧＤＴを極性反転処理する。即ち極性反転回路１５２は、正極性のフレームにおいて、セグメント駆動データＩＳＧＤＴと同じ論理レベルの出力信号ＳＧＤＴを出力し、負極性のフレームにおいて、セグメント駆動データＩＳＧＤＴの論理レベルを反転した出力信号ＳＧＤＴを出力する。ラッチ回路１５３は、制御回路１２０から入力されたラッチパルスＬＰにより出力信号ＳＧＤＴをラッチし、セグメント信号ＳＬＡＴとして出力する。
【００４７】
出力回路１５５は、第１レベルシフター１５６と、バッファー回路１５７と、を含む。
【００４８】
第１レベルシフター１５６は、セグメント信号ＳＬＡＴのレベルシフトを行うことで、出力信号ＳＬＡＴＬＳを出力する。制御回路１２０及びデータ記憶部１３０、セグメント信号出力回路１５１は第１電源電圧で動作し、バッファー回路１５７は、第１電源電圧とは異なる第２電源電圧で動作する。即ち第１レベルシフター１５６は、第１電源電圧の信号レベルを第２電源電圧の信号レベルにレベルシフトする。例えば第２電源電圧は第１電源電圧より高い。
【００４９】
バッファー回路１５７は、第１レベルシフター１５６の出力信号ＳＬＡＴＬＳに基づいてセグメント駆動信号ＳＧＱを出力する。即ちバッファー回路１５７は、出力信号ＳＬＡＴＬＳをバッファリングすることでセグメント駆動信号ＳＧＱを出力する。回路が正常であれば、セグメント信号ＳＬＡＴとセグメント駆動信号ＳＧＱの論理レベルは同じである。
【００５０】
セグメント異常検出回路１６０は、セグメントモニター信号ＳＭＮとセグメント信号ＳＬＡＴとセグメント駆動信号ＳＧＱとを比較することでセグメント電極ＥＳＤ１の駆動異常を検出する。セグメント異常検出回路１６０は、第２レベルシフター１６１と、第３レベルシフター１６２と、排他的論理和回路１６３と、論理和回路１６４と、を含む。
【００５１】
第２レベルシフター１６１は、セグメントモニター信号ＳＭＮをレベルシフトし、レベルシフト後のセグメントモニター信号ＳＭＮＬＳを排他的論理和回路１６３へ出力する。第３レベルシフター１６２は、セグメント駆動信号ＳＧＱをレベルシフトし、レベルシフト後のセグメント駆動信号ＳＧＱＬＳを排他的論理和回路１６３へ出力する。排他的論理和回路１６３と論理和回路１６４は第１電源電圧で動作する。即ち、第２レベルシフター１６１と第３レベルシフター１６２は、第２電源電圧の信号レベルを第１電源電圧の信号レベルにレベルシフトする。
【００５２】
排他的論理和回路１６３は、レベルシフト後のセグメントモニター信号ＳＭＮＬＳと、セグメント信号ＳＬＡＴと、レベルシフト後のセグメント駆動信号ＳＧＱＬＳとの排他的論理和を求め、その結果である検出信号ＳＤＥＴ１を出力する。ＳＭＮＬＳ及びＳＬＡＴ、ＳＧＱＬＳの論理レベルが一致している場合、検出信号ＳＤＥＴ１はローレベルであり、それ以外の場合には検出信号ＳＤＥＴ１はハイレベルとなる。セグメント電極ＥＳＤ１が正常に駆動されている場合にはＳＭＮＬＳ及びＳＬＡＴ、ＳＧＱＬＳの論理レベルが一致する。即ち、駆動異常が検出されたときには検出信号ＳＤＥＴ１がハイレベルとなる。
【００５３】
論理和回路１６４は、検出信号ＳＤＥＴ１〜ＳＤＥＴｎの論理和を求め、その結果である検出信号ＳＤＥＴＱを制御回路１２０に出力する。ｎは２以上の整数である。ＳＤＥＴ２〜ＳＤＥＴｎは、セグメント電極ＥＳＤ１以外のセグメント電極の駆動異常検出結果である。ＳＤＥＴ１〜ＳＤＥＴｎのいずれかがハイレベルのとき検出信号ＳＤＥＴＱがハイレベルとなる。制御回路１２０は、検出信号ＳＤＥＴＱがハイレベルのときインターフェース回路１１０を介して処理装置４００へ駆動異常を通知する。
【００５４】
図５は、セグメント電極ＥＳＤ１が正常に駆動されている場合の信号波形例である。ラッチ回路１５３は、極性反転回路１５２の出力信号ＳＧＤＴをラッチパルスＬＰの立ち上がりエッジでラッチすることで、セグメント信号ＳＬＡＴを出力する。出力回路１５５は、セグメント信号ＳＬＡＴと同じ論理レベルのセグメント駆動信号ＳＧＱを出力する。駆動異常が無い場合、セグメントモニター信号ＳＭＮの論理レベルは、セグメント駆動信号ＳＧＱの論理レベルと同じである。
【００５５】
以上から、排他的論理和回路１６３に入力されるセグメント信号ＳＬＡＴと、レベルシフト後のセグメントモニター信号ＳＭＮＬＳと、レベルシフト後のセグメント駆動信号ＳＧＱＬＳは、同じ論理レベルとなる。このため排他的論理和回路１６３はローレベルの検出信号ＳＤＥＴ１を出力する。
【００５６】
ここでは検出信号ＳＤＥＴ２〜ＳＤＥＴｎはローレベルであるとする。論理和回路１６４は、検出信号ＳＤＥＴ１〜ＳＤＥＴｎの論理和であるローレベルの検出信号ＳＤＥＴＱを制御回路１２０に出力する。
【００５７】
図６は、セグメント信号線ＬＳＤ１が電源にショートした場合の信号波形例である。図６において、点線の波形は正常時の波形を示し、実線の波形は異常時の波形を示す。
【００５８】
時間ｔ１においてセグメント信号線ＬＳＤ１が電源にショートしたとすると、時間ｔ１以降において、セグメント駆動信号ＳＧＱはハイレベルに固定される。セグメント信号ＳＬＡＴがローレベルのとき、セグメント駆動信号ＳＧＱはローレベルとなるべきであるが、ショートによってセグメント駆動信号ＳＧＱはハイレベルとなる。
【００５９】
セグメント駆動信号ＳＧＱがハイレベルに固定されることで、レベルシフト後のセグメント駆動信号ＳＧＱＬＳと、セグメントモニター信号ＳＭＮと、レベルシフト後のセグメントモニター信号ＳＭＮＬＳがハイレベルとなる。このため、セグメント信号ＳＬＡＴがローレベルのとき、排他的論理和回路１６３はハイレベルの検出信号ＳＤＥＴ１を出力する。論理和回路１６４は、検出信号ＳＤＥＴ１がハイレベルのとき、ハイレベルの検出信号ＳＤＥＴＱを出力する。制御回路１２０は、ハイレベルの検出信号ＳＤＥＴＱが入力されたとき、駆動異常が発生したと判断する。
【００６０】
図７は、セグメント信号線ＬＳＤ１がグランドにショートした場合の信号波形例である。図７において、点線の波形は正常時の波形を示し、実線の波形は異常時の波形を示す。
【００６１】
時間ｔ２においてセグメント信号線ＬＳＤ１がグランドにショートしたとすると、時間ｔ２以降において、セグメント駆動信号ＳＧＱはローレベルに固定される。セグメント信号ＳＬＡＴがハイレベルのとき、セグメント駆動信号ＳＧＱはハイレベルとなるべきであるが、ショートによってセグメント駆動信号ＳＧＱはローレベルとなる。
【００６２】
セグメント駆動信号ＳＧＱがローレベルに固定されることで、レベルシフト後のセグメント駆動信号ＳＧＱＬＳと、セグメントモニター信号ＳＭＮと、レベルシフト後のセグメントモニター信号ＳＭＮＬＳがローレベルとなる。このため、セグメント信号ＳＬＡＴがハイレベルのとき、排他的論理和回路１６３はハイレベルの検出信号ＳＤＥＴ１を出力する。論理和回路１６４は、検出信号ＳＤＥＴ１がハイレベルのとき、ハイレベルの検出信号ＳＤＥＴＱを出力する。制御回路１２０は、ハイレベルの検出信号ＳＤＥＴＱが入力されたとき、駆動異常が発生したと判断する。
【００６３】
図８は、セグメント端子ＴＳＤ１とセグメント電極ＥＳＤ１の間がオープン状態になった場合の信号波形例である。オープン状態は、セグメント端子ＴＳＤ１の接続不良、又はセグメント信号線ＬＳＤ１の断線によって発生する。図８には、寄生容量に蓄積された電荷によってセグメント電極ＥＳＤ１がグランド電位となった場合の信号波形例を示す。図８において、点線の波形は正常時の波形を示し、実線の波形は異常時の波形を示す。
【００６４】
時間ｔ３においてセグメント端子ＴＳＤ１とセグメント電極ＥＳＤ１の間がオープン状態になったとすると、時間ｔ３以降において、セグメントモニター信号ＳＭＮはローレベルに固定される。セグメント駆動信号ＳＧＱがハイレベルのとき、セグメントモニター信号ＳＭＮはハイレベルとなるべきであるが、オープン状態によってセグメントモニター信号ＳＭＮはローレベルとなる。
【００６５】
セグメントモニター信号ＳＭＮがローレベルに固定されることで、レベルシフト後のセグメントモニター信号ＳＭＮＬＳがローレベルとなる。このため、セグメント信号ＳＬＡＴとレベルシフト後のセグメント駆動信号ＳＧＱＬＳがハイレベルのとき、排他的論理和回路１６３はハイレベルの検出信号ＳＤＥＴ１を出力する。論理和回路１６４は、検出信号ＳＤＥＴ１がハイレベルのとき、ハイレベルの検出信号ＳＤＥＴＱを出力する。制御回路１２０は、ハイレベルの検出信号ＳＤＥＴＱが入力されたとき、駆動異常が発生したと判断する。
【００６６】
以上の実施形態によれば、セグメント異常検出回路１６０がセグメント信号ＳＬＡＴとセグメント駆動信号ＳＧＱとセグメントモニター信号ＳＭＮとを比較することで、セグメント電極ＥＳＤ１の駆動異常を検出できる。即ち、駆動異常が無い場合、セグメント信号ＳＬＡＴとセグメント駆動信号ＳＧＱとセグメントモニター信号ＳＭＮの論理レベルが同じであるため、それらのうち１つでも論理レベルが異なっているとき、セグメント異常検出回路１６０が駆動異常を検出できる。
【００６７】
なお、図４〜図８ではセグメント異常検出回路１６０がセグメント信号ＳＬＡＴとセグメント駆動信号ＳＧＱとセグメントモニター信号ＳＭＮとを比較する場合を説明したが、以下の第１、第２変形例のように構成してもよい。
【００６８】
第１変形例では、セグメント異常検出回路１６０がセグメント信号ＳＬＡＴとセグメントモニター信号ＳＭＮとを比較することでセグメント電極ＥＳＤ１の駆動異常を検出する。この場合、第３レベルシフター１６２は設けない。また排他的論理和回路１６３は、セグメント信号ＳＬＡＴと、レベルシフト後のセグメントモニター信号ＳＭＮＬＳとの排他的論理和を求め、その結果である検出信号ＳＤＥＴ１を出力する。
【００６９】
第２変形例では、セグメント異常検出回路１６０がセグメント駆動信号ＳＧＱとセグメントモニター信号ＳＭＮとを比較することでセグメント電極ＥＳＤ１の駆動異常を検出する。この場合、排他的論理和回路１６３は、レベルシフト後のセグメント駆動信号ＳＧＱＬＳと、レベルシフト後のセグメントモニター信号ＳＭＮＬＳとの排他的論理和を求め、その結果である検出信号ＳＤＥＴ１を出力する。
【００７０】
図９に、セグメント異常検出回路１６０の第２詳細構成例を示す。なお、既に説明された構成要素には同一の符号を付し、その構成要素の説明を適宜に省略する。
【００７１】
図９では、セグメント異常検出回路１６０がセグメント信号ＳＬＡＴとセグメント駆動信号ＳＧＱとを比較することで駆動異常を検出する。セグメント異常検出回路１６０は、第２レベルシフター１６１と排他的論理和回路１６５と論理和回路１６４とを含む。排他的論理和回路１６５は、セグメント信号ＳＬＡＴと、レベルシフト後のセグメント駆動信号ＳＧＱＬＳとの排他的論理和を求め、その結果である検出信号ＳＤＥＴ１を出力する。
【００７２】
第２詳細構成例によれば、セグメント異常検出回路１６０がセグメント信号ＳＬＡＴとセグメント駆動信号ＳＧＱとを比較することで、回路故障によるセグメント駆動信号ＳＧＱの異常を検出できる。また、セグメント信号ＳＬＡＴとセグメント駆動信号ＳＧＱとの比較結果により駆動異常が判断されるので、セグメント駆動信号ＳＧＱが任意の波形であっても駆動異常を検出できる。即ち、通常の表示動作中においてリアルタイムに駆動異常を検出できる。
【００７３】
４．コモン駆動回路、コモン異常検出回路
図１０は、コモン駆動回路１７０及びコモン異常検出回路１８０の第１詳細構成例である。
【００７４】
コモン駆動回路１７０は、液晶パネル２００のコモン電極を駆動するコモン駆動信号ＣＭＱを出力する。第１コモン端子であるコモン端子ＴＣＤ１は、コモン駆動信号ＣＭＱをコモン電極へ出力する。第２コモン端子であるコモン端子ＴＣＤ２には、コモン電極からのモニター信号であるコモンモニター信号ＣＭＮが入力される。コモン異常検出回路１８０は、コモンモニター信号ＣＭＮに基づいて、コモン電極の駆動異常を検出する。
【００７５】
このようにすれば、コモン電極に接続されるコモン信号線ＬＣＤ１〜ＬＣＤ６に異常が発生した場合、或いはコモン駆動回路１７０が出力するコモン駆動信号ＣＭＱに異常が発生した場合であっても、コモン異常検出回路１８０がコモンモニター信号ＣＭＮに基づいて異常を検出できる。
【００７６】
また、コモン電極からフィードバックされるコモンモニター信号ＣＭＮを用いて駆動異常を検出することで、通常の表示動作中においてリアルタイムに駆動異常を検出できる。即ち、コモン電極が正常に駆動されている場合にはコモンモニター信号ＣＭＮがコモン駆動信号ＣＭＱと同じ信号となるので、それを検出することによって、通常の表示動作中において駆動異常を判定できる。
【００７７】
コモン駆動回路１７０は、コモン駆動データＩＣＭＤＴに基づいてコモン信号ＣＬＡＴを出力するコモン信号出力回路１７１と、コモン信号ＣＬＡＴに基づいてコモン駆動信号ＣＭＱを出力する出力回路１７５と、を含む。
【００７８】
具体的には、コモン信号出力回路１７１は、極性反転回路１７２とラッチ回路１７３とを含む。液晶パネル２００の表示オン時にはコモン駆動データＩＣＭＤＴはローレベルであり、液晶パネル２００の表示オフ時にはコモン駆動データＩＣＭＤＴはハイレベルである。極性反転回路１７２は、コモン駆動データＩＣＭＤＴを極性反転処理する。即ち極性反転回路１７２は、正極性のフレームにおいて、コモン駆動データＩＣＭＤＴと同じ論理レベルの出力信号ＣＭＤＴを出力し、負極性のフレームにおいて、コモン駆動データＩＣＭＤＴの論理レベルを反転した出力信号ＣＭＤＴを出力する。ラッチ回路１７３は、制御回路１２０から入力されたラッチパルスＬＰにより出力信号ＣＭＤＴをラッチし、そのラッチされた信号ＣＭＤＴをコモン信号ＣＬＡＴとして出力する。
【００７９】
出力回路１７５は、第１レベルシフター１７６と、バッファー回路１７７と、を含む。
【００８０】
第１レベルシフター１７６は、コモン信号ＣＬＡＴのレベルシフトを行うことで、出力信号ＣＬＡＴＬＳを出力する。コモン信号出力回路１７１は第１電源電圧で動作し、バッファー回路１７７は第２電源電圧で動作する。即ち第１レベルシフター１７６は、第１電源電圧の信号レベルを第２電源電圧の信号レベルにレベルシフトする。
【００８１】
バッファー回路１７７は、第１レベルシフター１７６の出力信号ＣＬＡＴＬＳに基づいてコモン駆動信号ＣＭＱを出力する。即ちバッファー回路１７７は、出力信号ＣＬＡＴＬＳをバッファリングすることでコモン駆動信号ＣＭＱを出力する。回路が正常であれば、コモン信号ＣＬＡＴとコモン駆動信号ＣＭＱの論理レベルは同じである。
【００８２】
コモン異常検出回路１８０は、コモンモニター信号ＣＭＮとコモン信号ＣＬＡＴとコモン駆動信号ＣＭＱとを比較することでコモン電極の駆動異常を検出する。コモン異常検出回路１８０は、第２レベルシフター１８１と、第３レベルシフター１８２と、排他的論理和回路１８３と、を含む。
【００８３】
第２レベルシフター１８１は、コモンモニター信号ＣＭＮをレベルシフトし、レベルシフト後のコモンモニター信号ＣＭＮＬＳを排他的論理和回路１８３へ出力する。第３レベルシフター１８２は、コモン駆動信号ＣＭＱをレベルシフトし、レベルシフト後のコモン駆動信号ＣＭＱＬＳを排他的論理和回路１８３へ出力する。排他的論理和回路１８３は第１電源電圧で動作する。即ち、第２レベルシフター１８１と第３レベルシフター１８２は、第２電源電圧の信号レベルを第１電源電圧の信号レベルにレベルシフトする。
【００８４】
排他的論理和回路１８３は、レベルシフト後のコモンモニター信号ＣＭＮＬＳと、コモン信号ＣＬＡＴと、レベルシフト後のコモン駆動信号ＣＭＱＬＳとの排他的論理和を求め、その結果である検出信号ＣＤＥＴＱを出力する。ＣＭＮＬＳ及びＣＬＡＴ、ＣＭＱＬＳの論理レベルが一致している場合、検出信号ＣＤＥＴＱはローレベルであり、それ以外の場合には検出信号ＣＤＥＴＱはハイレベルとなる。コモン電極が正常に駆動されている場合にはＣＭＮＬＳ及びＣＬＡＴ、ＣＭＱＬＳの論理レベルが一致する。即ち、駆動異常が検出されたときには検出信号ＣＤＥＴＱがハイレベルとなる。制御回路１２０は、検出信号ＣＤＥＴＱがハイレベルのときインターフェース回路１１０を介して処理装置４００へ駆動異常を通知する。
【００８５】
図１１は、コモン電極が正常に駆動されている場合の信号波形例である。ラッチ回路１７３は、極性反転回路１７２の出力信号ＣＭＤＴをラッチパルスＬＰの立ち上がりエッジでラッチすることで、コモン信号ＣＬＡＴを出力する。出力回路１７５は、コモン信号ＣＬＡＴと同じ論理レベルのコモン駆動信号ＣＭＱを出力する。駆動異常が無い場合、コモンモニター信号ＣＭＮの論理レベルは、コモン駆動信号ＣＭＱの論理レベルと同じである。
【００８６】
以上から、排他的論理和回路１８３に入力されるコモン信号ＣＬＡＴと、レベルシフト後のコモンモニター信号ＣＭＮＬＳと、レベルシフト後のコモン駆動信号ＣＭＱＬＳは、同じ論理レベルとなる。このため排他的論理和回路１８３はローレベルの検出信号ＣＤＥＴＱを制御回路１２０に出力する。
【００８７】
図１２は、コモン信号線ＬＣＤ１〜ＬＣＤ６のいずれかが電源にショートした場合の信号波形例である。図１２において、点線の波形は正常時の波形を示し、実線の波形は異常時の波形を示す。
【００８８】
時間ｔ４においてコモン信号線ＬＣＤ１〜ＬＣＤ６のいずれかが電源にショートしたとすると、時間ｔ４以降において、コモン駆動信号ＣＭＱはハイレベルに固定される。即ち、コモン信号ＣＬＡＴがローレベルのときであっても、コモン駆動信号ＣＭＱはハイレベルとなる。このとき、排他的論理和回路１８３はハイレベルの検出信号ＣＤＥＴＱを出力する。制御回路１２０は、ハイレベルの検出信号ＣＤＥＴＱが入力されたとき、駆動異常が発生したと判断する。
【００８９】
図１３は、コモン信号線ＬＣＤ１〜ＬＣＤ６のいずれかがグランドにショートした場合の信号波形例である。図１３において、点線の波形は正常時の波形を示し、実線の波形は異常時の波形を示す。
【００９０】
時間ｔ５においてコモン信号線ＬＣＤ１〜ＬＣＤ６のいずれかがグランドにショートしたとすると、時間ｔ５以降において、コモン駆動信号ＣＭＱはローレベルに固定される。即ち、コモン信号ＣＬＡＴがハイレベルのときであっても、コモン駆動信号ＣＭＱはローレベルとなる。このとき、排他的論理和回路１８３はハイレベルの検出信号ＣＤＥＴＱを出力する。制御回路１２０は、ハイレベルの検出信号ＣＤＥＴＱが入力されたとき、駆動異常が発生したと判断する。
【００９１】
図１４は、コモン端子ＴＣＤ１とコモン電極の間がオープン状態になった場合の信号波形例である。オープン状態は、コモン端子ＴＣＤ１の接続不良、又はコモン信号線ＬＣＤ１〜ＬＣＤ６のいずれかが断線したことによって発生する。図１３には、寄生容量に蓄積された電荷によってコモン電極がグランド電位となった場合の信号波形例を示す。図１３において、点線の波形は正常時の波形を示し、実線の波形は異常時の波形を示す。
【００９２】
時間ｔ６においてコモン端子ＴＣＤ１とコモン電極の間がオープン状態になったとすると、時間ｔ６以降において、コモンモニター信号ＣＭＮはローレベルに固定される。即ち、コモン駆動信号ＣＭＱがハイレベルのときであっても、コモンモニター信号ＣＭＮはローレベルとなる。このとき、排他的論理和回路１８３はハイレベルの検出信号ＣＤＥＴＱを出力する。制御回路１２０は、ハイレベルの検出信号ＣＤＥＴＱが入力されたとき、駆動異常が発生したと判断する。
【００９３】
以上の実施形態によれば、コモン異常検出回路１８０がコモン信号ＣＬＡＴとコモン駆動信号ＣＭＱとコモンモニター信号ＣＭＮとを比較することで、コモン電極の駆動異常を検出できる。即ち、駆動異常が無い場合、コモン信号ＣＬＡＴとコモン駆動信号ＣＭＱとコモンモニター信号ＣＭＮの論理レベルが同じであるため、それらのうち１つでも論理レベルが異なっているとき、コモン異常検出回路１８０が駆動異常を検出できる。
【００９４】
なお、図１０〜図１４ではコモン異常検出回路１８０がコモン信号ＣＬＡＴとコモン駆動信号ＣＭＱとコモンモニター信号ＣＭＮとを比較する場合を説明したが、以下の第１、第２変形例のように構成してもよい。
【００９５】
第１変形例では、コモン異常検出回路１８０がコモン信号ＣＬＡＴとコモンモニター信号ＣＭＮとを比較することでコモン電極の駆動異常を検出する。この場合、第３レベルシフター１８２は設けない。また排他的論理和回路１８３は、コモン信号ＣＬＡＴと、レベルシフト後のコモンモニター信号ＣＭＮＬＳとの排他的論理和を求め、その結果である検出信号ＣＤＥＴＱを出力する。
【００９６】
第２変形例では、コモン異常検出回路１８０がコモン駆動信号ＣＭＱとコモンモニター信号ＣＭＮとを比較することでコモン電極の駆動異常を検出する。この場合、排他的論理和回路１８３は、レベルシフト後のコモン駆動信号ＣＭＱＬＳと、レベルシフト後のコモンモニター信号ＣＭＮＬＳとの排他的論理和を求め、その結果である検出信号ＣＤＥＴＱを出力する。
【００９７】
図１５に、コモン異常検出回路１８０の第２詳細構成例を示す。図１０と同一の構成要素には同一の符号を付し、その構成要素の説明を適宜に省略する。
【００９８】
図１５では、コモン異常検出回路１８０がコモン信号ＣＬＡＴとコモン駆動信号ＣＭＱとを比較することで駆動異常を検出する。コモン異常検出回路１８０は、第２レベルシフター１８１と排他的論理和回路１８５とを含む。排他的論理和回路１８５は、コモン信号ＣＬＡＴと、レベルシフト後のコモン駆動信号ＣＭＱＬＳとの排他的論理和を求め、その結果である検出信号ＣＤＥＴＱを出力する。
【００９９】
第２詳細構成例によれば、コモン異常検出回路１８０がコモン信号ＣＬＡＴとコモン駆動信号ＣＭＱとを比較することで、回路故障によるコモン駆動信号ＣＭＱの異常を検出できる。また、コモン信号ＣＬＡＴとコモン駆動信号ＣＭＱとの比較結果により駆動異常が判断されるので、コモン駆動信号ＣＭＱが任意の波形であっても駆動異常を検出できる。即ち、通常の表示動作中においてリアルタイムに駆動異常を検出できる。
【０１００】
５．２線出力への切り替え
次に、セグメント電極の駆動異常が検出された後に、セグメント電極に対して２つのセグメント端子からセグメント駆動信号を出力する手法について説明する。
【０１０１】
図１６と図１７は、セグメント駆動回路１５０とセグメント異常検出回路１６０の第３詳細構成例である。なお図１６と図１７では図１のセグメント端子ＴＳＤ１、ＴＳＤ２に接続されるセグメント駆動回路及びセグメント異常検出回路を例に説明するが、液晶ドライバー１００に含まれる他のセグメント端子にも同様にセグメント駆動回路が接続される。但し、ＥＳＳ１等、１つのセグメント電極に１つのセグメント端子が接続される場合には、セグメント異常検出回路と、後述するスイッチ回路を設けない。
【０１０２】
セグメント駆動回路１５０は、セグメント電極ＥＳＤ１の駆動異常が検出されたとき、セグメント駆動信号ＳＧＱとは別にセグメント電極ＥＳＤ１を駆動するセグメント駆動信号ＳＧＱ’を、セグメント端子ＴＳＤ２に出力する。なお、セグメント駆動信号ＳＧＱを第１セグメント駆動信号とし、セグメント駆動信号ＳＧＱ’を第２セグメント駆動信号とする。
【０１０３】
このようにすれば、図１のＡ１に示すようなセグメント信号線ＬＳＤ１の断線等によって駆動異常が発生したとき、セグメント端子ＴＳＤ２からセグメント信号線ＬＳＤ２を介してセグメント電極ＥＳＤ１にセグメント駆動信号ＳＧＱ’を出力できる。これにより、駆動異常が発生した場合であっても、セグメント電極ＥＳＤ１を駆動し続けることができるので、表示を継続できる。
【０１０４】
具体的には、セグメント駆動回路１５０は、セグメント信号出力回路１５１と出力回路１５５とセグメント信号出力回路５１と駆動回路５５とスイッチ回路１０、２０とレベルシフター４０とを含む。セグメント信号出力回路１５１及び出力回路１５５は図４と同様なので説明を省略する。
【０１０５】
セグメント信号出力回路５１は極性反転回路５２とラッチ回路５３とを含む。駆動回路５５はレベルシフター５６と出力回路５７とを含む。セグメント信号出力回路５１と駆動回路５５の動作は、セグメント信号出力回路１５１と出力回路１５５の動作と同様である。即ち、極性反転回路１５２には、スイッチ回路１０から極性信号ＰＯＬ’とセグメント駆動データＩＳＧＤＴ’が入力される。極性反転回路５２は、極性信号ＰＯＬ’に基づいて、セグメント駆動データＩＳＧＤＴ’を極性反転処理する。ラッチ回路１５３には、スイッチ回路１０からラッチパルスＬＰ’が入力される。ラッチ回路５３は、ラッチパルスＬＰ’により極性反転回路５２の出力信号ＳＧＤＴ’をラッチすることで、セグメント信号ＳＬＡＴ’を出力する。レベルシフター５６は、セグメント信号ＳＬＡＴ’のレベルシフトを行う。出力回路５７は、レベルシフター５６の出力信号ＳＬＡＴＬＳ’に基づいてセグメント駆動信号ＳＧＱ’を出力する。
【０１０６】
制御回路１２０は、検出信号ＳＤＥＴ１に基づいてスイッチ制御信号ＳＳＷを出力する。図１６に示すスイッチ回路の状態をモニター状態と呼び、図１７に示すスイッチ回路の状態を２線駆動状態と呼ぶこととする。セグメント電極の駆動異常が検出されていないとき、制御回路１２０は、モニター状態を指示するスイッチ制御信号ＳＳＷを出力する。セグメント電極の駆動異常が検出されたとき、制御回路１２０は、２線駆動状態を指示するスイッチ制御信号ＳＳＷを出力する。
【０１０７】
レベルシフター４０は、スイッチ制御信号ＳＳＷをレベルシフトすることで、レベルシフト後のスイッチ制御信号ＳＳＷＬＳを出力する。レベルシフター４０は、第１電源電圧の信号レベルから第２電源電圧の信号レベルにレベルシフトする。
【０１０８】
スイッチ回路１０は、スイッチＳＡ１〜ＳＡ３を含む。スイッチＳＡ１〜ＳＡ３は、スイッチ制御信号ＳＳＷによりモニター状態又は２線駆動状態に制御される。モニター状態では、スイッチＳＡ１はＬＰ’＝Ｌを選択し、スイッチＳＡ２はＰＯＬ’＝Ｌを選択し、スイッチＳＡ３はＩＳＧＤＴ’＝Ｌを選択する。「Ｌ」はローレベルを意味する。２線駆動状態では、スイッチＳＡ１はＬＰ’＝ＬＰを選択し、スイッチＳＡ２はＰＯＬ’＝ＰＯＬを選択し、スイッチＳＡ３はＩＳＧＤＴ’＝ＩＳＧＤＴを選択する。スイッチＳＡ１〜ＳＡ３は、例えばトランジスターで構成される。
【０１０９】
スイッチ回路２０は、スイッチＳＢ１、ＳＢ２を含む。スイッチＳＢ１、ＳＢ２は、スイッチ制御信号ＳＳＷＬＳによりモニター状態又は２線駆動状態に制御される。セグメント端子ＴＳＤ２の信号をＳＴＳＤ２とする。モニター状態では、スイッチＳＢ１及びスイッチＳＢ２がＳＭＮ’＝ＳＴＳＤ２を選択する。これにより、セグメント異常検出回路１６０にセグメントモニター信号が入力される。２線駆動状態では、スイッチＳＢ２がＳＭＮ’＝Ｌを選択し、スイッチＳＢ１がＳＴＳＤ２＝ＳＧＱ’を選択する。これにより、セグメント端子ＴＳＤ２からセグメント駆動信号ＳＧＱ’が出力される。スイッチＳＢ１、ＳＢ２は、例えばトランジスターで構成される。
【０１１０】
セグメント異常検出回路１６０は、第２レベルシフター１６１と排他的論理和回路１６３を含む。第２レベルシフター１６１は、セグメントモニター信号ＳＭＮ’をレベルシフトする。排他的論理和回路１６３は、セグメント信号ＳＬＡＴと、レベルシフト後のセグメントモニター信号ＳＭＮ’との排他的論理和を求め、その結果である検出信号ＳＤＥＴ１を出力する。
【０１１１】
なお、セグメント異常検出回路１６０は、セグメント信号とセグメント駆動信号とセグメントモニター信号を比較することで、セグメント電極の駆動異常を検出してもよい。この場合、セグメント異常検出回路１６０は、セグメント駆動信号ＳＧＱをレベルシフトするレベルシフターを更に含む。そして排他的論理和回路１６３は、セグメント信号ＳＬＡＴと、レベルシフト後のセグメント駆動信号と、レベルシフト後のセグメントモニター信号ＳＭＮ’との排他的論理和を求める。
【０１１２】
図１８は、上記第３詳細構成例の動作を説明する信号波形例である。図１８において、ＳＳＷ＝Ｌのときモニター状態であり、ＳＳＷ＝Ｈのとき２線駆動状態である。
【０１１３】
モニター状態では、セグメント端子ＴＳＤ１にセグメントモニター信号がフィードバックされる。またセグメント端子ＴＳＤ２の信号ＳＴＳＤ２がセグメントモニター信号ＳＭＮ’としてセグメント異常検出回路１６０に入力される。駆動異常が発生していないとき、セグメントモニター信号ＳＭＮ’は、セグメント駆動信号ＳＧＱと同じ論理レベルである。
【０１１４】
時間ｔ７で駆動異常が発生したとする。ここでは、セグメント信号線がグランドに短絡したとする。駆動異常が発生した後は、セグメント駆動信号ＳＧＱがハイレベルであっても、セグメントモニター信号ＳＭＮ’がローレベルとなる。このため検出信号ＳＤＥＴ１がハイレベルとなり、駆動異常が検出される。
【０１１５】
ＣＬＫは、制御回路１２０の動作クロック信号である。このクロック信号ＣＬＫは、図３の発振回路１９０から制御回路１２０に入力される。制御回路１２０はレジスターを含み、そのレジスターは、クロック信号ＣＬＫの立ち上がりエッジで検出信号ＳＤＥＴ１を取り込む。ＤＥＴＲＥＧは、このレジスターの出力信号である。
【０１１６】
制御回路１２０は、レジスターの出力信号ＤＥＴＲＥＧをクロック信号の立ち上がりエッジでラッチすることで、スイッチ制御信号ＳＳＷを出力する。これにより、時間ｔ８においてスイッチ制御信号ＳＳＷはローレベルからハイレベルに遷移する。時間ｔ８以降は、２線駆動状態となる。
【０１１７】
２線駆動状態では、セグメント端子ＴＳＤ２の信号ＳＴＳＤ２は、セグメント駆動信号ＳＧＱ’と同じ論理レベルである。即ち、セグメント駆動信号ＳＧＱ’がセグメント端子ＴＳＤ２からセグメント電極ＥＳＤ１に出力される。２線駆動状態におけるセグメント駆動信号ＳＧＱ’は、セグメント駆動信号ＳＧＱと同じ論理レベルである。
【０１１８】
図１９は、セグメント駆動回路１５０とセグメント異常検出回路１６０の第４詳細構成例である。図１９では、図１６のセグメント信号出力回路５１が省略されており、スイッチ回路１０がセグメント信号ＳＬＡＴ’を切り替える構成となっている。なお、既に説明された構成要素には同一の符号を付し、その構成要素の説明を適宜に省略する。
【０１１９】
スイッチ回路１０はスイッチＳＡ４を含む。ＳＳＷ＝Ｌであるモニター状態において、スイッチＳＡ４はＳＬＡＴ’＝Ｌを選択する。ＳＳＷ＝Ｈである２線駆動状態において、スイッチＳＡ４はＳＬＡＴ’＝ＳＬＡＴを選択する。第４詳細構成例における信号波形は図１８と同様である。
【０１２０】
図２０は、セグメント駆動回路１５０とセグメント異常検出回路１６０の第５詳細構成例である。図２０では、セグメント駆動回路１５０が、セグメント信号出力回路１５１と出力回路１５５とレベルシフター４０、４１と出力ドライバーＤＲＣ２とを含む。また出力回路１５５のバッファー回路１５７がプリバッファーＰＢＦと出力ドライバーＤＲＣ１とを含む。そして、スイッチ回路１０が出力ドライバーＤＲＣ２の入力信号ＰＢＱ’を切り替える構成となっている。なお、既に説明された構成要素には同一の符号を付し、その構成要素の説明を適宜に省略する。
【０１２１】
プリバッファーＰＢＦは、第１レベルシフター１５６の出力信号ＳＬＡＴＬＳをバッファリングすることで出力ドライバーＤＲＣ１を駆動する。また２線駆動状態においてプリバッファーＰＢＦは出力ドライバーＤＲＣ１、ＤＲＣ２を駆動する。出力ドライバーＤＲＣ１はプリバッファーＰＢＦの出力信号ＰＢＱに基づいてセグメント駆動信号ＳＧＱを出力する。出力ドライバーＤＲＣ２は、スイッチ回路１０により選択される入力信号ＰＢＱ’に基づいてセグメント駆動信号ＳＧＱ’を出力する。出力ドライバーＤＲＣ１、ＤＲＣ２は、Ｐ型トランジスター及びＮ型トランジスターによるインバーター構成のドライバーである。
【０１２２】
スイッチ回路１０はスイッチＳＡ５を含む。レベルシフター４１は、スイッチ制御信号ＳＳＷをレベルシフトすることで、レベルシフト後のスイッチ制御信号をスイッチＳＡ５に出力する。レベルシフター４１は、第１電源電圧の信号レベルから第２電源電圧の信号レベルにレベルシフトする。なお、レベルシフター４１を設けずに、レベルシフター４０がスイッチ制御信号ＳＳＷＬＳをスイッチＳＡ５に出力してもよい。ＳＳＷ＝Ｌであるモニター状態において、スイッチＳＡ５はＰＢＱ’＝Ｌを選択する。ＳＳＷ＝Ｈである２線駆動状態において、スイッチＳＡ５はＰＢＱ’＝ＰＢＱを選択する。第５詳細構成例における信号波形は図１８と同様である。
【０１２３】
図２１は、セグメント駆動回路１５０とセグメント異常検出回路１６０の第６詳細構成例である。上記の第３〜第５詳細構成例では、２線駆動状態においてスイッチ回路２０が、セグメント駆動信号ＳＧＱと同じ論理レベルのセグメント駆動信号ＳＧＱ’をセグメント端子ＴＳＤ２に出力する。第６詳細構成例では、２線駆動状態においてスイッチ回路２０が、セグメント駆動信号ＳＧＱをセグメント端子ＴＳＤ２に出力する構成となっている。なお、既に説明された構成要素には同一の符号を付し、その構成要素の説明を適宜に省略する。
【０１２４】
図２１では、図１６のセグメント信号出力回路５１と駆動回路５５とスイッチ回路１０が省略されている。スイッチ回路２０はスイッチＳＢ３、ＳＢ４を含む。ＳＳＷ＝Ｌであるモニター状態において、スイッチＳＢ３、ＳＢ４はＳＭＮ’＝ＳＴＳＤ２を選択する。ＳＳＷ＝Ｈである２線駆動状態において、スイッチＳＢ３はＳＴＳＤ２＝ＳＧＱを選択し、スイッチＳＢ４はＳＭＮ’＝Ｌを選択する。第６詳細構成例における信号波形は図１８と同様である。
【０１２５】
６．種々の実施形態
以下、上述していない種々の実施形態を説明する。
【０１２６】
図１、図２の液晶ドライバー１００において、第１セグメント端子であるセグメント端子ＴＳＤ１と、第２セグメント端子であるセグメント端子ＴＳＤ２とは、液晶ドライバー１００の長手方向に沿って、隣り合って配置される。また同様に、セグメント端子ＴＳＤ３とセグメント端子ＴＳＤ４とは、長手方向に沿って隣り合って配置される。長手方向とは、液晶ドライバー１００の長辺ＨＬに沿った方向である。
【０１２７】
液晶パネル２００に設けられる複数のセグメント信号線は、ガラス基板上の透明導電膜なので、互いに交差することができない。本実施形態では、セグメント端子ＴＳＤ１、ＴＳＤ２が隣り合って配置されることで、セグメント電極ＥＳＤ１とセグメント端子ＴＳＤ１、ＴＳＤ２とを接続するセグメント信号線ＬＳＤ１、ＬＳＤ２が他のセグメント信号線と交差しないように、セグメント信号線ＬＳＤ１、ＬＳＤ２を配線できる。セグメント端子ＴＳＤ３、ＴＳＤ４についても同様である。
【０１２８】
但し、セグメント端子の配置は上記に限定されない。図２２は、液晶装置３００の第２構成例である。図２２では、第１セグメント端子であるセグメント端子ＴＳＤ１と、第２セグメント端子であるセグメント端子ＴＳＤ２とは、液晶ドライバーの長手方向に交差する方向に沿って、隣り合って配置される。また同様に、セグメント端子ＴＳＤ３とセグメント端子ＴＳＤ４とは、長手方向に交差する方向に沿って、隣り合って配置される。長手方向に交差する方向とは、液晶ドライバー１００の長辺ＨＬに交差する方向であり、例えば液晶ドライバー１００の短辺ＨＳに沿った方向である。
【０１２９】
これにより、セグメント電極ＥＳＤ１とセグメント端子ＴＳＤ１、ＴＳＤ２とを接続するセグメント信号線ＬＳＤ１、ＬＳＤ２が他のセグメント信号線と交差しないように、セグメント信号線ＬＳＤ１、ＬＳＤ２を配線できる。セグメント端子ＴＳＤ３、ＴＳＤ４についても同様であり、且つ液晶ドライバー１００の長手方向寸法を小さくすることが可能となる。
【０１３０】
図１及び図２２に示すように、セグメント電極ＥＳＤ１に接続されるセグメント信号線ＬＳＤ１とセグメント信号線ＬＳＤ２は、隣り合って配線される。同様に、セグメント電極ＥＳＤ２に接続されるセグメント信号線ＬＳＤ３とセグメント信号線ＬＳＤ４は、隣り合って配線される。２つのセグメント信号線が隣り合うとは、その２つのセグメント信号線の間に他のセグメント信号線が設けられていないことである。例えば、セグメント電極ＥＳＤ１に接続されるセグメント信号線ＬＳＤ１、ＬＳＤ２は、並走するように配置される。なお、並走するセグメント信号線ＬＳＤ１、ＬＳＤ２の間隔は一定である必要はない。
【０１３１】
例えば、セグメント信号線ＬＳＤ１、ＬＳＤ２の間に、セグメント電極ＥＳＤ２及びセグメント信号線ＬＳＤ３、ＬＳＤ４、セグメント端子ＴＳＤ３、ＴＳＤ４が配置されるように、セグメント信号線ＬＳＤ２を迂回配線させることも考えられる。しかしながら、配線長が長くなると共に、配線の複雑化が予想される。この点、本実施形態によれば、同一のセグメント電極ＥＳＤ１に接続されたセグメント信号線ＬＳＤ１、ＬＳＤ２が隣り合って配線されることで、シンプルな配線を実現しつつ、且つセグメント信号線ＬＳＤ１、ＬＳＤ２が他のセグメント信号線と交差しないように配線できる。
【０１３２】
図２３は、液晶装置３００の第３構成例である。図２３では、第１セグメント端子及び第２セグメント端子は、液晶ドライバー１００の長辺ＨＬにおいて、第１領域ＨＡＲ１と第２領域ＨＡＲ２の間の第３領域ＨＡＲ３に配置される。第３セグメント端子は、第１領域ＡＨＲ１又は第２領域ＡＨＲ２に配置される。領域ＨＡＲ１〜ＨＡＲ３は、液晶ドライバー１００のレイアウトにおけるセグメント端子の配置領域である。領域ＨＡＲ１〜ＨＡＲ３の各々は長方形であり、その長辺が液晶ドライバー１００の長辺ＨＬに平行である。例えば、領域ＨＡＲ１〜ＨＡＲ３の長辺の１つが液晶ドライバー１００の長辺ＨＬに接してもよい。
【０１３３】
図１のセグメント電極等を例にとると、図１のセグメント電極ＥＳＤ１が第１セグメント電極であり、セグメント信号線ＬＳＤ１、ＬＳＤ２が第１、第２セグメント信号線であり、セグメント端子ＴＳＤ１、ＴＳＤ２が第１、第２セグメント端子である。また図１のセグメント電極ＥＳＳ１が第２セグメント電極であり、セグメント信号線ＬＳＳ１が第３セグメント信号線であり、セグメント端子ＴＳＳ１が第３セグメント端子である。
【０１３４】
図２３の液晶パネル２００において、第１セグメント電極は、領域ＤＡＲ１と領域ＤＡＲ２の間の領域ＤＡＲ３に配置される。第２セグメント電極は、領域ＤＡＲ１又は領域ＤＡＲ２に配置される。領域ＤＡＲ１に配置されるセグメント電極は、液晶ドライバー１００の領域ＨＡＲ１に配置されたセグメント端子に接続される。同様に、領域ＤＡＲ２、ＤＡＲ３に配置されるセグメント電極は、液晶ドライバー１００の領域ＨＡＲ２、ＨＡＲ３に配置されたセグメント端子に接続される。即ちライバー１００が長辺ＨＬとその両端に短辺ＨＳを有し、領域ＨＡＲ３は長辺ＨＬにおいて、領域ＨＡＲ１、ＨＡＲ２よりも、いずれかの短辺ＨＳから遠くに位置することになる。従って、ドライバー１００が長辺ＨＬとその両端に短辺ＨＳを有し、第１セグメント端子及び前記第２セグメント端子は、液晶ドライバーの長辺ＨＬにおいて、第３セグメント端子よりもいずれかの短辺ＨＳから遠い位置に配置されることになる。
【０１３５】
例えば、液晶装置３００が車載のクラスターパネルである場合、中央付近の領域ＤＡＲ３にアイコンが配置され、その両側の領域ＤＡＲ１、ＤＡＲ２にメーター又は数字、文字が配置されることを想定できる。上述したように、アイコンの重要度が相対的に高いと想定した場合、領域ＤＡＲ３に配置されたアイコンのセグメント電極と、液晶ドライバー１００とを、２本のセグメント信号線で接続する。一方、領域ＤＡＲ１、ＤＡ２に配置されたメーター又は数字、文字の重要度が相対的に低いとした場合、そのセグメント電極と、液晶ドライバー１００とを、１本のセグメント信号線で接続する。
【０１３６】
上記図２３の構成によれば、重要度の高い表示のセグメント電極が中央付近に配置される場合において、それに合わせたセグメント端子の配置にできる。
【０１３７】
図２４は、液晶ドライバー１００の第２詳細構成例である。図２４では、液晶ドライバー１００が不揮発性メモリー１２５を含む。不揮発性メモリー１２５は、例えばＥＥＰＲＯＭ（Electrically Erasable Programmable Read Only Memory）又はフラッシュメモリー、ヒューズセルを用いたメモリーである。
【０１３８】
不揮発性メモリー１２５は、セグメント電極の駆動異常の検出履歴を記憶する。即ち、セグメント異常検出回路１６０により駆動異常が検出されたとき、制御回路１２０が、その履歴を不揮発性メモリー１２５に書き込む。処理装置４００は、インターフェース回路１１０を介して不揮発性メモリー１２５にアクセスすることで、検出履歴を取得できる。なお、不揮発性メモリー１２５は、コモン電極の駆動異常の検出履歴を記憶してもよい。
【０１３９】
検出履歴の内容は種々想定できる。例えば、検出履歴は駆動異常の検出回数を含む。即ち、図４の構成において検出信号ＳＤＥＴＱがハイレベルとなったとき、制御回路１２０は、不揮発性メモリー１２５に記憶された検出回数を１増加させる。或いは、検出履歴は駆動異常の検出時間を含む。制御回路１２０は、発振回路１９０からのクロック信号に基づいて計時するタイマーを含んでもよい。そして、検出信号ＳＤＥＴＱがハイレベルとなったとき、制御回路１２０は、タイマーの出力時間を不揮発性メモリー１２５に書き込む。或いは、検出履歴は各セグメント端子における検出履歴である。この場合、制御回路１２０に各セグメント端子に対応した検出結果である検出信号ＳＤＥＴ１〜ＳＤＥＴｎが入力される。制御回路１２０は、検出信号ＳＤＥＴ１〜ＳＤＥＴｎに基づいて、各セグメント端子における検出履歴を不揮発性メモリー１２５に書き込む。
【０１４０】
本実施形態によれば、液晶ドライバー１００の起動時において、液晶ドライバー１００又は処理装置４００が不揮発性メモリー１２５から検出履歴を取得できる。例えば上述した２線駆動を行う場合、起動時において検出履歴を参照することで、駆動異常を再検出しなくても起動後すぐに２線駆動状態に設定できるようになる。
【０１４１】
図２５は、液晶パネル２００の詳細構成例である。図２５には、液晶パネル２００の平面視図と、平面視図に示すＡＡ’断面における断面図と、平面視図に示すＢＢ’断面における断面図と、を示す。図２５では、セグメント電極ＥＳＤ１に関する構成のみを図示する。
【０１４２】
液晶パネル２００は、ガラス基板ＧＢ１、ＧＢ２と、セグメント電極ＥＳＤ１と、セグメント信号線ＬＳＤ１、ＬＳＤ２と、コモン電極ＥＣＤ１と、信号線ＬＣＤ１ａ、ＬＣＤ１ｂ、ＬＣＤ２ａ、ＬＣＤ２ｂと、上下導通材ＵＤ１、ＵＤ２を含む。
【０１４３】
ガラス基板ＧＢ１とガラス基板ＧＢ２は向かい合っており、その間に透明導電膜及び液晶ＬＣ１が設けられている。液晶ドライバー１００は、ガラス基板ＧＢ１においてガラス基板ＧＢ２に覆われていない部分に実装されている。
【０１４４】
ガラス基板ＧＢ１には、透明導電膜であるセグメント電極ＥＳＤ１及びセグメント信号線ＬＳＤ１、ＬＳＤ２が形成されている。セグメント信号線ＬＳＤ１、ＬＳＤ２の一端には、セグメント端子ＴＳＤ１、ＴＳＤ２が接続される。ガラス基板ＧＢ１に形成される透明導電膜のうち、コモン電極ＥＣＤ１と共に液晶ＬＣ１に電圧を印加する部分がセグメント電極ＥＳＤ１である。即ち、セグメント電極ＥＳＤ１とコモン電極ＥＣＤ１は向かい合って配置されており、その間に液晶ＬＣ１が設けられている。なおセグメント電極ＥＳＤ１とコモン電極ＥＣＤ１に挟まれていない部分にも液晶ＬＣ１が設けられている。セグメント電極ＥＳＤ１とコモン電極ＥＣＤ１に電圧が印加されることで、セグメント電極ＥＳＤ１とコモン電極ＥＣＤ１に挟まれた部分の液晶の透過率が制御される。
【０１４５】
ガラス基板ＧＢ１には、透明導電膜である信号線ＬＣＤ１ａ、ＬＣＤ２ａが形成されている。信号線ＬＣＤ１ａ、ＬＣＤ２ａの一端には、コモン端子ＴＣＤ１、ＴＣＤ２が接続される。ガラス基板ＧＢ２には、透明導電膜である信号線ＬＣＤ１ｂ、ＬＣＤ２ｂとコモン電極ＥＣＤ１が形成される。信号線ＬＣＤ１ａ、ＬＣＤ２ａの他端と、信号線ＬＣＤ１ｂ、ＬＣＤ２ｂの一端は、上下導通材ＵＤ１、ＵＤ２により接続される。信号線ＬＣＤ１ｂ、ＬＣＤ２ｂの他端はコモン電極ＥＣＤ１に接続される。図２ではコモン信号線を透明導電膜のみで図示したが、図２５では、コモン信号線は透明導電膜と上下導通材を含む。即ち、コモン端子ＴＣＤ１とコモン電極ＥＣＤ１を接続するコモン信号線は、信号線ＬＣＤ１ａ、ＬＣＤ１ｂと上下導通材ＵＤ１とを含む。コモン端子ＴＣＤ２とコモン電極ＥＣＤ１を接続するコモン信号線は、信号線ＬＣＤ２ａ、ＬＣＤ２ｂと上下導通材ＵＤ２とを含む。
【０１４６】
このように、コモン信号線は透明導電膜以外の導電体を含んでもよい。同様に、セグメント信号線が透明導電膜以外の導電体を含んでもよい。
【０１４７】
以上の図１〜図２５では液晶装置３００表示装置である場合を例に説明したが、液晶装置３００は表示装置に限定されない。例えば液晶装置３００は、光の通過と遮断を制御するための液晶シャッターであってもよい。液晶シャッターを適用できる装置の一例としてヘッドライトがある。図２６は、液晶装置３００を含むヘッドライト７００の構成例である。また図２７は、ヘッドライトに適用される液晶パネル２００の例である。
【０１４８】
ヘッドライト７００は液晶装置３００と光源７１０を含む。光源７１０はＬＥＤ（Light Emitting Diode）である。或いは光源７１０はハロゲンランプ又はキセノンランプであってもよい。液晶装置３００は液晶ドライバー１００と液晶パネル２００を含む。
【０１４９】
液晶パネル２００には、複数のセグメントＳＥＧ１〜ＳＥＧ９が設けられる。セグメントＳＥＧ１〜ＳＥＧ９の各々は液晶セルである。セグメントＳＥＧ１〜ＳＥＧ９は例えば３×３のマトリックスに配置されるが、これに限定されるものではない。なお図２７ではセグメント信号線とコモン信号線の図示を省略している。
【０１５０】
液晶ドライバー１００は、セグメントＳＥＧ１〜ＳＥＧ９の各々をオン又はオフに制御する。ここでは、オンは透過状態を意味し、オフは遮断状態を意味する。光源７１０は液晶パネル２００に対して光を出射し、その光は、オンになっている液晶セルを通過してヘッドライト７００の照明対象に出射される。オフになっている液晶セルは、光源７１０からの光を遮断する。即ち、セグメントＳＥＧ１〜ＳＥＧ９の各々がシャッターとして機能する。セグメントＳＥＧ１〜ＳＥＧ９のオンオフ状態によって、ヘッドライト７００の配光が変化する。例えば液晶ドライバー１００がセグメントＳＥＧ１〜ＳＥＧ３をオフにし、セグメントＳＥＧ４〜ＳＥＧ９をオンにすることで、いわゆるロービームを実現できる。また液晶ドライバー１００がセグメントＳＥＧ１〜ＳＥＧ９をオンにすることで、いわゆるハイビームを実現できる。
【０１５１】
なお、液晶シャッターの適用例はヘッドライトに限定されない。例えば、液晶シャッターを含む液晶装置がアクティブマトリックス型表示装置と組み合わされてもよい。このとき、液晶装置の液晶パネルには、アクティブマトリックス型表示装置の画面を覆うようにセグメントが設けられ、そのセグメントが液晶シャッターとして機能する。液晶パネルには、液晶シャッターであるセグメントの他に、種々の表示物に対応したセグメントが設けられてもよい。ユーザーが液晶シャッターを通してアクティブマトリックス型表示装置をみるように、液晶装置とアクティブマトリックス型表示装置とが配置されている。そして、液晶ドライバー１００が液晶シャッターをオンにすることで、アクティブマトリックス型表示装置の表示が液晶シャッターを通してユーザーから見えるようになる。一方、液晶ドライバー１００が液晶シャッターをオフにすることで、アクティブマトリックス型表示装置の表示が液晶シャッターによって遮断され、ユーザーから見えなくなる。
【０１５２】
上述した図５〜図８の信号波形例では、スタティック駆動において、セグメント電極に印加する電圧を１フレームの間変化させない場合を例に説明した。但し、駆動手法はこれに限定されず、スタティック駆動において、セグメント電極に印加する電圧を１フレームの途中で変化させるＰＷＭ駆動を行ってもよい。図２８は、液晶ドライバーがセグメント電極をＰＷＭ駆動する場合の信号波形例である。
【０１５３】
ＣＯＭＬＰは、制御回路１２０がコモン駆動回路１７０に出力するラッチパルスである。ラッチパルスＣＯＭＬＰの立ち上がりエッジ間が１つのフレームである。フレームＴＦＬ１は正極性フレームであり、フレームＴＦＬ２は負極性フレームである。フレームＴＦＬ１においてコモン駆動信号ＣＭＱ＝Ｌであり、フレームＴＦＬ２においてコモン駆動信号ＣＭＱ＝Ｈである。コモン駆動回路１７０の動作は図１１等で説明した動作と同じである。
【０１５４】
ここでは階調数を１１とする。スタティック駆動におけるＰＷＭ駆動では、液晶の透過率は０％と１００％の２値であるが、透過率１００％のデューティーを変化させることで、時間平均において階調を実現する。この時間平均における階調を、１００％階調、９０％階調、・・・、０％階調と呼ぶこととする。
【０１５５】
ＳＥＧＬＰは、制御回路１２０がセグメント駆動回路１５０に出力するラッチパルスである。ラッチパルスＬＰは、１フレームにおいて等間隔の１０個のパルスを含む。このパルス数は、階調数から１を引いた数である。１００％階調では、フレームＴＦＬ１の１個目のラッチパルスから、フレームＴＦＬ２の１個目のラッチパルスまでセグメント駆動信号ＳＧＱ＝Ｈである。９０％階調では、フレームＴＦＬ１の２個目のラッチパルスから、フレームＴＦＬ２の２個目のラッチパルスまでセグメント駆動信号ＳＧＱ＝Ｈである。以下同様であり、０％階調では、フレームＴＦＬ１の１０個目のラッチパルスから、フレームＴＦＬ２の１０個目のラッチパルスまでセグメント駆動信号ＳＧＱ＝Ｈである。
【０１５６】
駆動異常の検出手法は図４等で説明した手法と同じである。即ち、セグメント異常検出回路１６０はセグメント信号ＳＬＡＴとセグメント駆動信号ＳＧＱとセグメントモニター信号ＳＭＮとを比較することで、駆動異常を検出する。図５〜図８の信号波形例とセグメント駆動信号ＳＧＱの変化タイミングが異なるだけであり、セグメント信号ＳＬＡＴとセグメント駆動信号ＳＧＱとセグメントモニター信号ＳＭＮの論理レベルが不一致となったときに駆動異常が検出されることは、同様である。
【０１５７】
このように、本実施形態の駆動異常検出手法は、ＰＷＭ駆動に適用することが可能である。
【０１５８】
７．電子機器、移動体
図２９は、本実施形態の液晶ドライバー１００を含む電子機器６００の構成例である。本実施形態の電子機器として、液晶装置を搭載する種々の電子機器を想定できる。例えば本実施形態の電子機器として、車載装置や、ディスプレイ、プロジェクター、テレビション装置、情報処理装置、携帯型情報端末、カーナビゲーションシステム、携帯型ゲーム端末、ＤＬＰ（Digital Light Processing）装置等を想定できる。車載装置は、例えばクラスターパネル等の車載表示装置、或いは液晶シャッターを用いたヘッドライト等である。クラスターパネルは、運転席の前に設けられ、メーター等が表示される表示パネルである。
【０１５９】
電子機器６００は、処理装置４００、液晶装置３００、記憶部３２０、操作部３３０、通信部３４０を含む。液晶装置３００は液晶ドライバー１００と液晶パネル２００とを含む。なお、記憶部３２０は記憶装置又はメモリーである。操作部３３０は操作装置である。通信部３４０は通信装置である。
【０１６０】
操作部３３０は、ユーザーからの種々の操作を受け付けるユーザーインターフェースである。例えば、ボタンやマウス、キーボード、液晶パネル２００に装着されたタッチパネル等で構成される。通信部３４０は、画像データや制御データの通信を行うデータインターフェースである。例えばＵＳＢ等の有線通信インターフェースや、或は無線ＬＡＮ等の無線通信インターフェースである。記憶部３２０は、通信部３４０から入力された画像データを記憶する。或は、記憶部３２０は、処理装置４００のワーキングメモリーとして機能する。処理装置４００は、電子機器の各部の制御処理や種々のデータ処理を行う。処理装置４００は、通信部３４０が受信した画像データ、又は記憶部３２０が記憶している画像データを、液晶ドライバー１００が受け付け可能な形式に変換し、その変換された画像データを液晶ドライバー１００へ出力する。液晶ドライバー１００は、処理装置４００から転送された画像データに基づいて液晶パネル２００を駆動する。
【０１６１】
図３０は、本実施形態の液晶ドライバー１００を含む移動体の構成例である。移動体は、例えばエンジンやモーター等の駆動機構、ハンドルや舵等の操舵機構、各種の電子機器を備えて、地上や空や海上を移動する機器又は装置である。本実施形態の移動体として、例えば、車、飛行機、バイク、船舶、走行ロボット、或いは歩行ロボット等の種々の移動体を想定できる。図３０は移動体の具体例としての自動車２０６を概略的に示している。自動車２０６には、液晶ドライバー１００を含む液晶装置３００と、自動車２０６の各部を制御する制御装置５１０と、が組み込まれている。制御装置５１０は、例えば車速や燃料残量、走行距離、各種装置の設定等の情報をユーザーに提示する画像を生成し、その画像を液晶装置３００に送信して液晶装置３００に表示させる。或いは、自動車２０６が、上述のヘッドライトを含み、制御装置５１０がヘッドライトの液晶装置３００を制御してもよい。
【０１６２】
以上に説明した液晶ドライバーは、セグメント駆動回路と第１セグメント端子と第２セグメント端子とセグメント異常検出回路とを含む。セグメント駆動回路は、液晶パネルのセグメント電極を駆動する第１セグメント駆動信号を出力する。第１セグメント端子は、第１セグメント駆動信号をセグメント電極へ出力する。第２セグメント端子は、セグメント電極からのモニター信号であるセグメントモニター信号が入力される。セグメント異常検出回路は、セグメントモニター信号に基づいて、セグメント電極の駆動異常を検出する。
【０１６３】
このようにすれば、第１セグメント端子からセグメント電極に出力された第１セグメント駆動信号が、セグメント電極から第２セグメント端子にセグメントモニター信号としてフィードバックされる。これにより、セグメント異常検出回路がセグメント電極の駆動異常を検出できる。即ち、セグメント異常検出回路が、セグメント電極に正常にセグメント駆動信号が印加されたか否かを判断できる。
【０１６４】
また本実施形態では、セグメント駆動回路は、セグメント駆動データに基づいてセグメント信号を出力するセグメント信号出力回路と、セグメント信号に基づいて第１セグメント駆動信号を出力する出力回路と、を含んでもよい。セグメント異常検出回路は、セグメントモニター信号とセグメント信号とを比較することで駆動異常を検出してもよい。
【０１６５】
このようにすれば、セグメント信号に基づいて第１セグメント駆動信号が出力されているので、セグメント異常検出回路がセグメントモニター信号とセグメント信号とを比較することで、セグメントモニター信号と第１セグメント駆動信号が同じ信号レベルであるか否かを判断できる。これにより、セグメント電極の駆動異常を検出できる。
【０１６６】
また本実施形態では、セグメント異常検出回路は、セグメントモニター信号とセグメント信号との排他的論理和を求める排他的論理和回路を含んでもよい。セグメント異常検出回路は、排他的論理和回路の出力信号を、セグメントモニター信号とセグメント信号との比較結果として出力してもよい。
【０１６７】
このようにすれば、排他的論理和回路の出力信号は、セグメントモニター信号とセグメント信号の論理レベルが一致している場合にローレベルとなり、セグメントモニター信号とセグメント信号の論理レベルが一致していない場合にハイレベルとなる。正常時においてセグメント信号と第１セグメント駆動信号の論理レベルが同じなので、駆動異常が発生すると排他的論理和回路の出力信号がハイレベルになる。これにより、セグメント電極の駆動異常を検出できる。
【０１６８】
また本実施形態では、出力回路は、セグメント信号のレベルシフトを行う第１レベルシフターを含んでもよい。出力回路は、第１レベルシフターの出力信号に基づいて第１セグメント駆動信号を出力してもよい。セグメント異常検出回路は、セグメントモニター信号をレベルシフトし、レベルシフト後のセグメントモニター信号を排他的論理和回路へ出力する第２レベルシフターを含んでもよい。
【０１６９】
このようにすれば、液晶ドライバーのロジック回路等に用いる第１電源電圧と、液晶パネルの駆動に用いる第２電源電圧とが異なる場合であっても、第１、第２レベルシフターがレベルシフトを行うことで、セグメント電極の駆動異常を検出できるようになる。なお、ロジック回路は、セグメント信号出力回路と排他的論理和回路等を含む。
【０１７０】
また本実施形態では、セグメント信号出力回路は、セグメント駆動データを極性反転処理する極性反転回路と、極性反転回路の出力信号をラッチパルスによりラッチすることでセグメント信号を出力するラッチ回路と、を含んでもよい。
【０１７１】
極性反転駆動において、第１セグメント駆動信号はフレーム毎に極性が反転する信号である。本実施形態によれば、セグメント信号は極性反転処理された信号なので、第１セグメント駆動信号と同様にフレーム毎に極性が反転する信号となる。これにより、第１セグメント駆動信号がフィードバックされたセグメントモニター信号と、セグメント信号とを比較することで、駆動異常を検出することができる。
【０１７２】
また本実施形態では、セグメント異常検出回路は、セグメントモニター信号と第１セグメント駆動信号とを比較することで駆動異常を検出してもよい。
【０１７３】
セグメントモニター信号は、第１セグメント端子からセグメント電極に出力された第１セグメント駆動信号が第２セグメント端子にフィードバックされた信号である。このため、セグメント異常検出回路がセグメントモニター信号と第１セグメント駆動信号とを比較することで、駆動異常を検出できる。
【０１７４】
また本実施形態では、セグメント異常検出回路は、セグメントモニター信号とセグメント信号と第１セグメント駆動信号とを比較することで駆動異常を検出してもよい。
【０１７５】
セグメント端子から正常に第１セグメント駆動信号が出力されていない場合には、セグメント信号と第１セグメント駆動信号が一致しなくなる。本実施形態によれば、セグメント異常検出回路がセグメントモニター信号とセグメント信号と第１セグメント駆動信号とを比較することで、セグメント電極に正常な第１セグメント駆動信号が印加されているか否かだけでなく、セグメント端子から正常に第１セグメント駆動信号が出力されているか否かを検出できる。
【０１７６】
また本実施形態では、セグメント異常検出回路は、セグメントモニター信号とセグメント信号と第１セグメント駆動信号との排他的論理和を求める排他的論理和回路を含んでもよい。セグメント異常検出回路は、排他的論理和回路の出力信号を、セグメントモニター信号とセグメント信号と第１セグメント駆動信号との比較結果として出力してもよい。
【０１７７】
このようにすれば、排他的論理和回路の出力信号は、セグメントモニター信号とセグメント信号と第１セグメント駆動信号の論理レベルが一致している場合にローレベルとなり、セグメントモニター信号とセグメント信号と第１セグメント駆動信号の論理レベルが一致していない場合にハイレベルとなる。正常時においてセグメントモニター信号とセグメント信号と第１セグメント駆動信号の論理レベルが同じなので、駆動異常が発生すると排他的論理和回路の出力信号がハイレベルになる。これにより、セグメント電極の駆動異常を検出できる。
【０１７８】
また本実施形態では、駆動回路は、セグメント信号のレベルシフトを行う第１レベルシフターを含んでもよい。駆動回路は、第１レベルシフターの出力信号に基づいて第１セグメント駆動信号を出力してもよい。セグメント異常検出回路は、セグメントモニター信号をレベルシフトし、レベルシフト後のセグメントモニター信号を排他的論理和回路へ出力する第２レベルシフターと、第１セグメント駆動信号をレベルシフトし、レベルシフト後の第１セグメント駆動信号を排他的論理和回路へ出力する第３レベルシフターと、を含んでもよい。
【０１７９】
このようにすれば、液晶ドライバーのロジック回路等に用いる第１電源電圧と、液晶パネルの駆動に用いる第２電源電圧とが異なる場合であっても、第１〜第３レベルシフターがレベルシフトを行うことで、セグメント電極の駆動異常を検出できるようになる。なお、ロジック回路は、セグメント信号出力回路と排他的論理和回路等を含む。
【０１８０】
また本実施形態では、液晶ドライバーは、コモン駆動回路と第１コモン端子と第２コモン端子とコモン異常検出回路とを含んでもよい。コモン駆動回路は、液晶パネルのコモン電極を駆動するコモン駆動信号を出力してもよい。第１コモン端子は、コモン駆動信号をコモン電極へ出力してもよい。第２コモン端子は、コモン電極からのモニター信号であるコモンモニター信号が入力されてもよい。コモン異常検出回路は、コモンモニター信号に基づいて、コモン電極の駆動異常を検出してもよい。
【０１８１】
このようにすれば、第１コモン端子からコモン電極に出力されたコモン駆動信号が、コモン電極から第２コモン端子にコモンモニター信号としてフィードバックされる。これにより、コモン異常検出回路がコモン電極の駆動異常を検出できる。即ち、コモン異常検出回路が、コモン電極に正常にコモン駆動信号が印加されたか否かを判断できる。
【０１８２】
また本実施形態では、セグメント駆動回路は、セグメント電極の駆動異常が検出されたとき、第１セグメント駆動信号、又は第１セグメント駆動信号とは別にセグメント電極を駆動する第２セグメント駆動信号を、第２セグメント端子に出力してもよい。
【０１８３】
このようにすれば、第１セグメント信号線の断線等によってセグメント電極に第１セグメント駆動信号が印加されなくなった場合であっても、第１セグメント駆動信号、又は第１セグメント駆動信号とは別にセグメント電極を駆動する第２セグメント駆動信号が、第２セグメント端子からセグメント電極に出力される。これにより、セグメント電極の駆動を継続できる。
【０１８４】
また本実施形態では、セグメント駆動回路は、スイッチ回路を含んでもよい。スイッチ回路は、セグメント電極の駆動異常が検出されていないとき、第２セグメント端子に入力されるセグメントモニター信号を、セグメント異常検出回路に出力してもよい。スイッチ回路は、セグメント電極の駆動異常が検出されたとき、第１セグメント駆動信号、又は第１セグメント駆動信号とは別にセグメント電極を駆動する第２セグメント駆動信号を、第２セグメント端子に出力してもよい。
【０１８５】
このようにすれば、セグメント電極の駆動異常が検出されていないとき、セグメント駆動回路がセグメントモニター信号をセグメント異常検出回路に出力できる。また、セグメント電極の駆動異常が検出されたとき、セグメント駆動回路が第１セグメント駆動信号、又は第１セグメント駆動信号とは別にセグメント電極を駆動する第２セグメント駆動信号を、第２セグメント端子に出力できる。
【０１８６】
また本実施形態では、第１セグメント端子と第２セグメント端子は、液晶ドライバーの長手方向に沿って、隣り合って配置されてもよい。
【０１８７】
このようにすれば、第１セグメント端子と第２セグメント端子が隣り合って配置されることで、液晶パネルにおいて透明導電膜で形成される複数のセグメント信号線が互いに交差しないように、セグメント信号線を配置できる。
【０１８８】
また本実施形態では、第１セグメント端子と第２セグメント端子は、液晶ドライバーの長手方向に交差する方向に沿って、隣り合って配置されてもよい。
【０１８９】
このようにすれば、上記と同様に複数のセグメント信号線が互いに交差しないように、セグメント信号線を配置できる。また第１セグメント端子と第２セグメント端子が、液晶ドライバーの長手方向に交差する方向に沿って配置されることで、液晶ドライバーの長手方向のサイズを縮小できる。
【０１９０】
また本実施形態では、液晶ドライバーは、駆動異常の検出履歴を記憶する不揮発性メモリーを含んでもよい。
【０１９１】
このようにすれば、液晶ドライバーの起動時において、液晶ドライバー又は、液晶ドライバーのホストである処理装置が、不揮発性メモリーから検出履歴を取得できる。例えば上述した２線駆動を行う場合、起動時において検出履歴を参照することで、駆動異常を再検出しなくても起動後すぐに２線駆動状態に設定できるようになる。
【０１９２】
また本実施形態では、液晶ドライバーは、液晶パネルのセグメント電極を駆動するセグメント駆動信号を出力するセグメント駆動回路と、セグメント駆動信号をセグメント電極へ出力するセグメント端子と、セグメント電極の駆動異常を検出するセグメント異常検出回路と、を含んでもよい。セグメント駆動回路は、セグメント駆動データに基づいてセグメント信号を出力するセグメント信号出力回路と、セグメント信号に基づいてセグメント駆動信号を出力する駆動回路と、を含んでもよい。セグメント異常検出回路は、セグメント信号とセグメント駆動信号とを比較することで駆動異常を検出してもよい。
【０１９３】
セグメント端子から正常にセグメント駆動信号が出力されていない場合には、セグメント信号とセグメント駆動信号が一致しなくなる。本実施形態によれば、セグメント異常検出回路がセグメント信号とセグメント駆動信号とを比較することで、セグメント端子から正常にセグメント駆動信号が出力されているか否かを検出できる。
【０１９４】
また本実施形態では、液晶ドライバーは、液晶パネルのコモン電極を駆動するコモン駆動信号を出力するコモン駆動回路と、コモン駆動信号をコモン電極へ出力するコモン端子と、コモン電極の駆動異常を検出するコモン異常検出回路と、を含んでもよい。コモン駆動回路は、コモン駆動データに基づいてコモン信号を出力するコモン信号出力回路と、コモン信号に基づいてコモン駆動信号を出力する出力回路と、を含んでもよい。コモン異常検出回路は、コモン信号とコモン駆動信号とを比較することで駆動異常を検出してもよい。
【０１９５】
コモン端子から正常にコモン駆動信号が出力されていない場合には、コモン信号とコモン駆動信号が一致しなくなる。本実施形態によれば、コモン異常検出回路がコモン信号とコモン駆動信号とを比較することで、コモン端子から正常にコモン駆動信号が出力されているか否かを検出できる。
【０１９６】
また本実施形態の電子機器は、上記のいずれかに記載の液晶ドライバーを含む。
【０１９７】
また本実施形態の移動体は、上記のいずれかに記載の液晶ドライバーを含む。
【０１９８】
なお、上記のように本実施形態について詳細に説明したが、本開示の新規事項および効果から実体的に逸脱しない多くの変形が可能であることは当業者には容易に理解できるであろう。従って、このような変形例はすべて本開示の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本開示の範囲に含まれる。また液晶ドライバー、液晶パネル、液晶装置、電子機器及び移動体の構成及び動作等も、本実施形態で説明したものに限定されず、種々の変形実施が可能である。
【符号の説明】
【０１９９】
１０，２０…スイッチ回路、４０，４１…レベルシフター、５１…セグメント信号出力回路、５２…極性反転回路、５３…ラッチ回路、５５…駆動回路、５６…レベルシフター、５７…出力回路、１００…液晶ドライバー、１１０…インターフェース回路、１２０…制御回路、１２５…不揮発性メモリー、１３０…データ記憶部、１４０…ラインラッチ、１５０…セグメント駆動回路、１５１…セグメント信号出力回路、１５２…極性反転回路、１５３…ラッチ回路、１５５…駆動回路、１５６…レベルシフター、１５７…出力回路、１６０…セグメント異常検出回路、１６１，１６２…レベルシフター、１６３…排他的論理和回路、１６４…論理和回路、１６５…排他的論理和回路、１７０…コモン駆動回路、１７１…コモン信号出力回路、１７２…極性反転回路、１７３…ラッチ回路、１７５…駆動回路、１７６…レベルシフター、１７７…出力回路、１８０…コモン異常検出回路、１８１，１８２…レベルシフター、１８３，１８５…排他的論理和回路、１９０…発振回路、２００…液晶パネル、２０６…自動車、３００…液晶装置、３２０…記憶部、３３０…操作部、３４０…通信部、４００…処理装置、５１０…制御装置、６００…電子機器、７００…ヘッドライト、７１０…光源、ＡＨＲ１…第１領域、ＡＨＲ２…第２領域、ＡＨＲ３…第３領域、ＣＭＮ…コモンモニター信号、ＣＭＱ…コモン駆動信号、ＥＣＤ１，ＥＣＤ２…コモン電極、ＥＣＳ１〜ＥＣＳ７…コモン電極、ＥＳＤ１，ＥＳＤ２…セグメント電極、ＥＳＳ１〜ＥＳＳ７…セグメント電極、ＨＬ…長辺、ＩＣＭＤＴ…コモン駆動データ、ＩＳＧＤＴ…セグメント駆動データ、ＬＣＤ１〜ＬＣＤ６…コモン信号線、ＬＰ…ラッチパルス、ＬＳＤ１〜ＬＳＤ４…セグメント信号線、ＬＳＳ１〜ＬＳＳ７…セグメント信号線、ＳＧＱ…セグメント駆動信号、ＳＬＡＴ…セグメント信号、ＳＭＮ…セグメントモニター信号、ＴＣＤ１，ＴＣＤ２…コモン端子、ＴＳＤ１〜ＴＳＤ４…セグメント端子、ＴＳＳ１〜ＴＳＳ７…セグメント端子
【図１】
2020106633.tif 000003
【図２】
2020106633.tif 000004
【図３】
2020106633.tif 000005
【図４】
2020106633.tif 000006
【図５】
2020106633.tif 000007
【図６】
2020106633.tif 000008
【図７】
2020106633.tif 000009
【図８】
2020106633.tif 000010
【図９】
2020106633.tif 000011
【図１０】
2020106633.tif 000012
【図１１】
2020106633.tif 000013
【図１２】
2020106633.tif 000014
【図１３】
2020106633.tif 000015
【図１４】
2020106633.tif 000016
【図１５】
2020106633.tif 000017
【図１６】
2020106633.tif 000018
【図１７】
2020106633.tif 000019
【図１８】
2020106633.tif 000020
【図１９】
2020106633.tif 000021
【図２０】
2020106633.tif 000022
【図２１】
2020106633.tif 000023
【図２２】
2020106633.tif 000024
【図２３】
2020106633.tif 000025
【図２４】
2020106633.tif 000026
【図２５】
2020106633.tif 000027
【図２６】
2020106633.tif 000028
【図２７】
2020106633.tif 000029
【図２８】
2020106633.tif 000030
【図２９】
2020106633.tif 000031
【図３０】
2020106633.tif 000032